(57)【要約】本発明は、ユーザインタフェース管理方法及びユーザインタフェース管理装置を開示した。ユーザインタフェースは、異なるレイヤーを表示でき、異なるレイヤーは、完全に同じではないアプリケーションのアイコンを含み、ユーザは、タッチディスプレイで簡単なタッチジェスチャーを行うだけで現在ユーザインタフェースに表示されているレイヤーを切り替えることができ、現在使用しようとするアプリケーションの集合を手早く探し出せ、ユーザの操作を簡略化した。【選択図】図１
2015523648.tif 000002
【特許請求の範囲】
【請求項１】
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、を含み、
異なるレイヤーは、完全に同じではないアプリケーションのアイコンを含む
ことを特徴とするユーザインタフェース管理方法。
【請求項２】
前記ユーザインタフェースに表示されるレイヤーを切り替えるステップは、
ユーザインタフェースに、選択可能なレイヤーリストを表示するステップと、
ユーザがその中の１つのレイヤーを選択したことを特定するステップと、
ユーザが選択したレイヤーをユーザインタフェースに表示するステップと、を含む
ことを特徴とする請求項１に記載の方法。
【請求項３】
前記ユーザインタフェースに表示されるレイヤーを切り替えるステップは、
設定の順番に従って、現在ユーザインタフェースに表示されているレイヤーの次のレイヤーを特定するステップと、
特定したレイヤーをユーザインタフェースに表示するステップと、を含む
ことを特徴とする請求項１に記載の方法。
【請求項４】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１〜３の何れか１項に記載の方法。
【請求項５】
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、を含み、
異なるレイヤーは、完全に同じではないアプリケーションのアイコンを含む
ことを特徴とするユーザインタフェース管理方法。
【請求項６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項５に記載の方法。
【請求項７】
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、を含み、
異なるレイヤーは、完全に同じではないアプリケーションのアイコンを含む
ことを特徴とするユーザインタフェース管理方法。
【請求項８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項７に記載の方法。
【請求項９】
前記現在ユーザインタフェースに表示されているレイヤーから前記タッチに対応するアプリケーションのアイコンを削除するステップは、
現在ユーザインタフェースに表示されているレイヤーの種類を特定するステップと、
現在ユーザインタフェースに表示されているのが基礎レイヤーであると、前記タッチに対応するアプリケーションをアンインストールするとともに、前記タッチに対応するアプリケーションのアイコンを各レイヤーから削除するステップと、
現在ユーザインタフェースに表示されているのが拡張レイヤーであると、前記タッチに対応するアプリケーションのアイコンを現在ユーザインタフェースに表示されている拡張レイヤーから削除するステップと、を含む
ことを特徴とする請求項７又は８に記載の方法。
【請求項１０】
さらに、現在にユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは、前記タッチに対応するアプリケーションをアンインストールするとともに、前記タッチに対応するアプリケーションのアイコンを各レイヤーから削除するステップを含む
ことを特徴とする請求項７〜９の何れか１項に記載の方法。
【請求項１１】
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、を含み、
異なるレイヤーは、完全に同じではないアプリケーションのアイコンを含む
ことを特徴とするユーザインタフェース管理方法。
【請求項１２】
前記の現在ユーザインタフェースに表示されているレイヤーにアプリケーションのアイコンを追加するステップは、
ユーザインタフェースに選択可能なアプリケーションリストを表示するステップと、
ユーザがその中の１つ以上のアプリケーションを選択したことを特定するステップと、
現在ユーザインタフェースに表示されているレイヤーにユーザにより選択されたアプリケーションのアイコンを追加するステップと、を含む
ことを特徴とする請求項１１に記載の方法。
【請求項１３】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１１又は１２に記載の方法。
【請求項１４】
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、含み、
異なるレイヤーは、完全に同じではないアプリケーションのアイコンを含む
ことを特徴とするユーザインタフェース管理方法。
【請求項１５】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１４に記載の方法。
【請求項１６】
前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む
ことを特徴とする請求項１４又は１５に記載の方法。
【請求項１７】
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、を含み、
異なるレイヤーは、完全に同じではないアプリケーションのアイコンを含む
ことを特徴とするユーザインタフェース管理方法。
【請求項１８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１７に記載の方法。
【請求項１９】
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替えるための切替モジュールとを含み、
異なるレイヤーは、完全に同じではないアプリケーションのアイコンを含む
ことを特徴とするユーザインタフェース管理装置。
【請求項２０】
前記切替モジュールは、
前記タッチが所定のレイヤー切替ジェスチャーにマッチングすると、ユーザインタフェースに、選択可能なレイヤーリストを表示し、ユーザがその中の１つのレイヤーを選択したことを特定するための第１処理サブモジュールと、
ユーザが選択したレイヤーをユーザインタフェースに表示するための第１切替実行サブモジュールとを含む
ことを特徴とする請求項１９に記載の装置。
【請求項２１】
前記切替モジュールは、
前記タッチが所定のレイヤー切替ジェスチャーにマッチングすると、設定の順番に従って、現在ユーザインタフェースに表示されているレイヤーの次のレイヤーを特定するための第２処理サブモジュールと、
特定したレイヤーをユーザインタフェースに表示するための第２切替実行サブモジュールとを含む
ことを特徴とする請求項１９に記載の装置。
【請求項２２】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１９〜２１の何れか１項に記載の方法。
【請求項２３】
タッチディスプレイとのタッチを検出するための検出モジュールと、
前記タッチにマッチングする所定のジェスチャーを特定するための特定モジュールと、
前記タッチが所定のレイヤーロックジェスチャーにマッチングすると、現在ユーザインタフェースに表示されているレイヤーをロックするためのロックモジュールとを含み、
異なるレイヤーは、完全に同じではないアプリケーションのアイコンを含む
ことを特徴とするユーザインタフェース管理装置。
【請求項２４】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２３に記載の装置。
【請求項２５】
タッチディスプレイとのタッチを検出するための検出モジュールと、
前記タッチにマッチングする所定のジェスチャーを特定するための特定モジュールと、
前記タッチが所定のアプリケーション削除ジェスチャーにマッチングすると、現在ユーザインタフェースに表示されているレイヤーから前記タッチに対応するアプリケーションのアイコンを削除するための削除モジュールとを含み、
異なるレイヤーは、完全に同じではないアプリケーションのアイコンを含む
ことを特徴とするユーザインタフェース管理装置。
【請求項２６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２５に記載の装置。
【請求項２７】
前記削除モジュールは、
現在ユーザインタフェースに表示されているレイヤーの種類を特定するための特定サブモジュールと、
現在ユーザインタフェースに表示されているのが基礎レイヤーであると、前記タッチに対応するアプリケーションをアンインストールするとともに、前記タッチに対応するアプリケーションのアイコンを各レイヤーから削除し、ユーザインタフェースに現在表示されているのが拡張レイヤーであると、前記タッチに対応するアプリケーションのアイコンを現在ユーザインタフェースに表示されている拡張レイヤーから削除するための削除実行サブモジュールとを含む
ことを特徴とする請求項２５又は２６に記載の装置。
【請求項２８】
前記削除実行サブモジュールは、さらに、現在ユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは前記タッチに対応するアプリケーションをアンインストールするとともに、前記タッチに対応するアプリケーションのアイコンを各レイヤーから削除する
ことを特徴とする請求項２５〜２７の何れか１項に記載の装置。
【請求項２９】
タッチディスプレイとのタッチを検出するための検出モジュールと、
前記タッチにマッチングする所定のジェスチャーを特定するための特定モジュールと、
前記タッチが所定のアプリケーション追加ジェスチャーにマッチングすると、現在ユーザインタフェースに表示されているレイヤーにアプリケーションのアイコンを追加するための追加モジュールとを含み、
異なるレイヤーは、完全に同じではないアプリケーションのアイコンを含む
ことを特徴とするユーザインタフェース管理方法。
【請求項３０】
前記追加モジュールは、
ユーザインタフェースに選択可能なアプリケーションリストを表示するための表示サブモジュールと、
ユーザがその中の１つ以上のアプリケーションを選択したことを特定し、現在ユーザインタフェースに表示されているレイヤーにユーザにより選択されたアプリケーションのアイコンを追加するための追加実行サブモジュールとを含む
ことを特徴とする請求項２９に記載の装置。
【請求項３１】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２９又は３０に記載の装置。
【請求項３２】
タッチディスプレイとのタッチを検出するための検出モジュールと、
前記タッチにマッチングする所定のジェスチャーを特定するための特定モジュールと、
前記タッチが所定のレイヤー編集ジェスチャーにマッチングすると、ユーザインタフェースをレイヤーの編集状態に遷移させるように制御し、ユーザから前記編集状態で入力された編集指令を受信し、レイヤーに対する編集操作を実行するための編集モジュールとを含み、
異なるレイヤーは、完全に同じではないアプリケーションのアイコンを含む
ことを特徴とするユーザインタフェース管理装置。
【請求項３３】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項３２に記載の装置。
【請求項３４】
前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む
ことを特徴とする請求項３２又は３３に記載の装置。
【請求項３５】
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替え、前記タッチが所定のレイヤーロックジェスチャーにマッチングすると、現在ユーザインタフェースに表示されているレイヤーをロックし、前記タッチが所定のアプリケーション削除ジェスチャーにマッチングすると、現在ユーザインタフェースに表示されているレイヤーから前記タッチに対応するアプリケーションのアイコンを削除し、前記タッチが所定のアプリケーション追加ジェスチャーにマッチングすると、現在ユーザインタフェースに表示されているレイヤーにアプリケーションのアイコンを追加し、前記タッチが所定のレイヤー編集ジェスチャーにマッチングすると、レイヤーの編集状態に遷移し、ユーザから前記編集状態で入力された編集指令を受信し、レイヤーに対する編集操作を実行するための管理モジュールとを含み、
異なるレイヤーは、完全に同じではないアプリケーションのアイコンを含む
ことを特徴とするユーザインタフェース管理装置。
【請求項３６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項３５に記載のユーザインタフェース管理装置。
【発明の詳細な説明】
【技術分野】
【０００１】
本開示は、タッチディスプレイを有する電子機器のユーザインタフェースに関し、特に、ユーザインタフェース管理方法及びユーザインタフェース管理装置に関する。
【背景技術】
【０００２】
タッチディスプレイを有する電子機器は、ユーザと電子機器とがインタラクティブする媒体として、ユーザインタフェースを提供する。
【０００３】
ユーザインタフェースにおいて１つ或いは複数のソフトボタン、メニュー、及び各アプリケーションのショットカットアイコンを提供する。タッチディスプレイのサイズに制限されるため、ユーザインタフェースは、表示しようとする内容が多い場合、複数のページに分けて表示することができる。
【０００４】
電子機器は、ユーザとユーザインタフェースとの接触を検出し応答する。例えば、ユーザがあるアプリケーションを使用しようとする場合には、ユーザインタフェースで当該アプリケーションに対応するアイコンをタッチし、電子機器が当該タッチを検出した後、対応するアプリケーションを起動する。また、例えば、ユーザの使用しようとするアプリケーションに対応するアイコンが現在ページに表示されていない場合には、タッチディスプレイに対してスライド操作し、電子機器が当該スライドタッチを検出した後、スライド方向に沿ってユーザインタフェースに表示されている現在ページの次のページの内容を表示する。
【発明の概要】
【発明が解決しようとする課題】
【０００５】
アプリケーションの種類が多くなるに伴って、ユーザインタフェース上のアイコンが数十個より多くの場合が時々あり、そのため、以下の問題を招く、即ち、通常、ユーザは、異なる場面によって異なるアプリケーションを使用する必要があり、あるアプリケーションを使用する必要があるとき、ユーザインタフェースにおいて、当該アプリケーションのアイコンを見つけ出すのに長い時間がかかってしまうことがある
【０００６】
本発明の実施例は、ユーザに簡単な操作で、使用しようとするアプリケーションが所属するカテゴリの集合を手早く探し出させ、ユーザの操作を簡略化することができるユーザインタフェース管理方法及びユーザインタフェース管理装置を提供する。
【課題を解決するための手段】
【０００７】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、を含み、
異なるレイヤーは、完全に同じではないアプリケーションのアイコンを含む。
前記ユーザインタフェースに表示されるレイヤーを切り替えるステップは、
【０００８】
ユーザインタフェースに、選択可能なレイヤーリストを表示するステップと、
ユーザがその中の１つのレイヤーを選択したことを特定するステップと、
ユーザが選択したレイヤーをユーザインタフェースに表示するステップと、を含む。
前記ユーザインタフェースに表示されるレイヤーを切り替えるステップは、
設定の順番に従って、現在ユーザインタフェースに表示されているレイヤーの次のレイヤーを特定するステップと、
特定したレイヤーをユーザインタフェースに表示するステップと、を含む。
【０００９】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１０】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１１】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１２】
さらに前記現在ユーザインタフェースに表示されているレイヤーから前記タッチに対応するアプリケーションのアイコンを削除するステップは、
現在ユーザインタフェースに表示されているレイヤーの種類を特定するステップと、
現在ユーザインタフェースに表示されているのが基礎レイヤーであると、前記タッチに対応するアプリケーションをアンインストールするとともに、前記タッチに対応するアプリケーションのアイコンを各レイヤーから削除するステップと、
現在ユーザインタフェースに表示されているのが拡張レイヤーであると、前記タッチに対応するアプリケーションのアイコンを現在ユーザインタフェースに表示されている拡張レイヤーから削除するステップと、を含む。
【００１３】
さらに、現在にユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは、前記タッチに対応するアプリケーションをアンインストールするとともに、前記タッチに対応するアプリケーションのアイコンを各レイヤーから削除するステップを含む。
【００１４】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、を含み、
異なるレイヤーは、完全に同じではないアプリケーションのアイコンを含む。
【００１５】
前記の現在ユーザインタフェースに表示されているレイヤーにアプリケーションのアイコンを追加するステップは、
ユーザインタフェースに選択可能なアプリケーションリストを表示するステップと、
ユーザがその中の１つ以上のアプリケーションを選択したことを特定するステップと、
現在ユーザインタフェースに表示されているレイヤーにユーザにより選択されたアプリケーションのアイコンを追加するステップと、を含む。
【００１６】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１７】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１８】
さらに、前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む。
【００１９】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２０】
本発明の実施例は、ユーザインタフェース管理装置を提供し、前記方法は、
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替えるための切替モジュールとを含み、
異なるレイヤーは、完全に同じではないアプリケーションのアイコンを含む。
前記切替モジュールは、
【００２１】
前記タッチが所定のレイヤー切替ジェスチャーにマッチングすると、ユーザインタフェースに、選択可能なレイヤーリストを表示し、ユーザがその中の１つのレイヤーを選択したことを特定するための第１処理サブモジュールと、
ユーザが選択したレイヤーをユーザインタフェースに表示するための第１切替実行サブモジュールとを含む。
【００２２】
前記切替モジュールは、
前記タッチが所定のレイヤー切替ジェスチャーにマッチングすると、設定の順番に従って、現在ユーザインタフェースに表示されているレイヤーの次のレイヤーを特定するための第２処理サブモジュールと、
【００２３】
特定したレイヤーをユーザインタフェースに表示するための第２切替実行サブモジュールとを含む。
【００２４】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２５】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤーロックジェスチャーにマッチングすると、現在ユーザインタフェースに表示されているレイヤーをロックするためのロックモジュールとを含み、
異なるレイヤーは、完全に同じではないアプリケーションのアイコンを含む。
【００２６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２７】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のアプリケーション削除ジェスチャーにマッチングすると、現在ユーザインタフェースに表示されているレイヤーから前記タッチに対応するアプリケーションのアイコンを削除するための削除モジュールとを含み、
異なるレイヤーは、完全に同じではないアプリケーションのアイコンを含む。
【００２８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２９】
さらに、前記削除モジュールは、
現在ユーザインタフェースに表示されているレイヤーの種類を特定するための特定サブモジュールと、
現在ユーザインタフェースに表示されているのが基礎レイヤーであると、前記タッチに対応するアプリケーションをアンインストールするとともに、前記タッチに対応するアプリケーションのアイコンを各レイヤーから削除し、ユーザインタフェースに現在表示されているのが拡張レイヤーであると、前記タッチに対応するアプリケーションのアイコンを現在ユーザインタフェースに表示されている拡張レイヤーから削除するための削除実行サブモジュールとを含む。
【００３０】
さらに、前記削除実行サブモジュールは、さらに、現在ユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは前記タッチに対応するアプリケーションをアンインストールするとともに、前記タッチに対応するアプリケーションのアイコンを各レイヤーから削除する。
【００３１】
本発明の実施例は、ユーザインタフェース管理方法を提供し、前記ユーザインタフェース管理は、
タッチディスプレイとのタッチを検出するための検出モジュールと、
前記タッチにマッチングする所定のジェスチャーを特定するための特定モジュールと、
前記タッチが所定のアプリケーション追加ジェスチャーにマッチングすると、現在ユーザインタフェースに表示されているレイヤーにアプリケーションのアイコンを追加するための追加モジュールとを含み、
異なるレイヤーは、完全に同じではないアプリケーションのアイコンを含む。
【００３２】
前記追加モジュールは、
ユーザインタフェースに選択可能なアプリケーションリストを表示するための表示サブモジュールと、
ユーザがその中の１つ以上のアプリケーションを選択したことを特定し、現在ユーザインタフェースに表示されているレイヤーにユーザにより選択されたアプリケーションのアイコンを追加するための追加実行サブモジュールとを含む。
【００３３】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００３４】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤー編集ジェスチャーにマッチングすると、ユーザインタフェースをレイヤーの編集状態に遷移させるように制御し、ユーザから前記編集状態で入力された編集指令を受信し、レイヤーに対する編集操作を実行するための編集モジュールとを含み、
異なるレイヤーは、完全に同じではないアプリケーションのアイコンを含む。
【００３５】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００３６】
さらに、前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む。
【００３７】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替え、前記タッチが所定のレイヤーロックジェスチャーにマッチングすると、現在ユーザインタフェースに表示されているレイヤーをロックし、前記タッチが所定のアプリケーション削除ジェスチャーにマッチングすると、現在ユーザインタフェースに表示されているレイヤーから前記タッチに対応するアプリケーションのアイコンを削除し、前記タッチが所定のアプリケーション追加ジェスチャーにマッチングすると、現在ユーザインタフェースに表示されているレイヤーにアプリケーションのアイコンを追加し、前記タッチが所定のレイヤー編集ジェスチャーにマッチングすると、レイヤーの編集状態に遷移し、ユーザから前記編集状態で入力された編集指令を受信し、レイヤーに対する編集操作を実行するための管理モジュールとを含み、
異なるレイヤーは、完全に同じではないアプリケーションのアイコンを含む。
【００３８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【発明の効果】
【００３９】
本発明の実施例に係る技術方案がもたらした有益な効果は、
ユーザインタフェースは、異なるレイヤーを表示でき、異なるレイヤーは、完全に同じではないアプリケーションのアイコンを含み、ユーザは、タッチディスプレイで簡単なタッチジェスチャーを行うだけで現在ユーザインタフェースに表示されているレイヤーを切り替えることができ、現在使用しようとするアプリケーションの集合を手早く探し出せ、ユーザの操作を簡略化した。
【図面の簡単な説明】
【００４０】
本発明の実施例における技術案をより明確に説明するために、以下、本発明の実施例の記述に用いられる必要となる図面について簡単に説明し、以下に記載の図面は、単なる本発明の実施例のいくつかの例示であり、当業者にとって、創造的な作業をしなくても、これらの図面に基づいて他の図面を取得することができることを言うまでもない。
【図１】本発明の実施例の実施例１におけるユーザインタフェース表示方法を示すフローチャートである。
【図２】レイヤーリストを表示するユーザインタフェースの模式的な図である。
【図３】本発明の実施例の実施例２におけるユーザインタフェース管理方法を示すフローチャートである。
【図４】削除方式の通知を表示するユーザインタフェースの模式的な図である。
【図５】本発明の実施例の実施例３におけるユーザインタフェース管理方法を示すフローチャートである。
【図６】本発明の実施例の実施例４におけるユーザインタフェース管理方法を示すフローチャートである。
【図７】本発明の実施例の実施例５におけるユーザインタフェース管理方法を示すフローチャートである。
【図８】レイヤー編集メニューを表示するユーザインタフェースの模式的な図である。
【図９】拡張レイヤーの設定ダイアログボックスを表示するユーザインタフェースの模式的な図である。
【図１０】拡張レイヤーを削除する状態を表示するユーザインタフェースの模式的な図である。
【図１１】拡張レイヤーを結合する状態を表示するユーザインタフェースの模式的な図である。
【図１２】本発明の実施例の実施例６におけるユーザインタフェース管理装置の構造を模式的に示す図である。
【図１３】本発明の実施例の実施例７におけるユーザインタフェース管理装置の構造を模式的に示す図である。
【図１４】本発明の実施例の実施例８におけるユーザインタフェース管理装置の構造を模式的に示す図である。
【図１５】本発明の実施例の実施例９におけるユーザインタフェース管理装置の構造を模式的に示す図である。
【図１６】本発明の実施例の実施例１０におけるユーザインタフェース管理装置の構造を模式的に示す図である。
【図１７】本発明の実施例の実施例１１におけるユーザインタフェース管理装置の構造を模式的に示す図である。
【発明を実施するための形態】
【００４１】
本発明の実施例の目的、技術案及び利点をより明確にするために、以下の図面に基づいて、好ましい実施例について詳細に説明する。
【００４２】
実施例１
図１は、本発明の実施例の実施例１におけるユーザインタフェース管理方法を示すフローチャートであり、当該方法は、以下のステップを含む。
ステップ１１：タッチディスプレイとのタッチを検出する。
ステップ１２：前記タッチにマッチングする所定のジェスチャーを特定する。
ステップ１３：前記タッチが所定のレイヤー切替ジェスチャーとマッチングすると、ユーザインタフェースに表示されるレイヤーを切り替え、ここで、異なるレイヤーは、完全に同じではないアプリケーションのアイコンを含む。
【００４３】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のカスタム定義によるカテゴリであり、カテゴリ名は、拡張レイヤーのテーマ名称としてもよい。
【００４４】
所定のレイヤー切替ジェスチャーは、タッチディスプレイに対して２点タッチで縦方向にスライドするものであり、ステップ１１において検出したタッチと当該所定のレイヤー切替ジェスチャーがマッチングする場合、ユーザインタフェースに表示されるレイヤーを切り替える。
切替操作は、以下の２つの任意に選択する実施形態がある。
【００４５】
実施形態１は、以下のサブステップを含む。
ステップ１３１：ユーザインタフェースにおいて選択可能なレイヤーリストを表示する。
図２に示したレイヤーリストのように、ユーザは、現在選択可能な、基礎レイヤー、拡張レイヤー１、拡張レイヤー２、及び拡張レイヤー３を含む全てのレイヤーを取得することができ、ここで、基礎レイヤーと拡張レイヤーのみを例とし、実際に応用する際に、レイヤーリストで例えば「ネットワークなしテーマレイヤー」や、「ネットワーク接続テーマレイヤー」等の拡張レイヤーのテーマ名称を直接に表示することができる。
【００４６】
ステップ１３２：ユーザがその中の１つのレイヤーを選択することを特定する。
ユーザが一点タッチで切り替えようとするレイヤーを直接に選択することができ、ユーザの当該一点タッチを検出した後、ユーザが１つのレイヤーを選択することを特定する。
ステップ１３３：ユーザが選択したレイヤーをユーザインタフェースに表示する。
【００４７】
例えば、現在ユーザインタフェースに表示されているのが基礎レイヤーであり、ユーザが拡張レイヤー２に切り替えようとすると、ステップ１３１〜ステップ１３３による選択を実行することにより実現でき、操作を簡略化した上で快速の切り替えを実現できる。また、ユーザは、各拡張レイヤーに含まれるアプリケーションのアイコンの種類を記憶する必要がなく、レイヤーリストにおける拡張レイヤーのテーマ名称により識別することができるため、ユーザの操作をさらに簡略化できる。
【００４８】
実施形態２は、以下のサブステップを含む。
ステップ１３１’：所定の順番に従って、現在ユーザインタフェースに表示されているレイヤーの次のレイヤーを特定する。
【００４９】
基礎レイヤーは、デフォルトで１つ目のレイヤーであり、他の拡張レイヤーは、１つずつ構築され、この点については、後述の実施例において詳細に説明するため、ここでの所定の順番は、各レイヤーの構築順番であってもよく、他のカスタム定義による順番であってもよい。
ステップ１３２’：特定したレイヤーをユーザインタフェースに表示する。
【００５０】
本実施形態で、レイヤーの構築順番が基礎レイヤー、拡張レイヤー１、拡張レイヤー２、拡張レイヤー３となり、現在ユーザインタフェースに表示されているのが拡張レイヤー１であるとすると、ステップ１３１’及びステップ１３２’を経て拡張レイヤー２をユーザインタフェースに表示する。ユーザは、拡張レイヤー３をユーザインタフェースに表示しようとすると、ステップ１１〜１３を繰り返して行う必要がある。
【００５１】
実施例２
図３は、本発明の実施例の実施例２におけるユーザインタフェース管理方法を示すフローチャートであり、当該方法は、以下のステップを含む。
ステップ３１：タッチディスプレイとのタッチを検出する。
ステップ３２：前記タッチにマッチングする所定のジェスチャーを特定する。
ステップ３３：前記タッチが所定のアプリケーション削除ジェスチャーにマッチングすると、現在ユーザインタフェースに表示されているレイヤーにおいて前記タッチに対応するアプリケーションを削除し、ここで、異なるレイヤーは、完全に同じではないアプリケーションのアイコンを含む。
【００５２】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００５３】
所定のアプリケーション削除ジェスチャーは、タッチディスプレイに対して２点タッチで右水平にスライドするものであり、両点タッチにおける少なくとも１つのタッチ点が削除しようとするアプリケーションに当たる必要があり、ステップ３１において検出したタッチが当該所定のアプリケーション削除ジェスチャーにマッチングする場合、現在ユーザインタフェースに表示されているレイヤーにおいて前記タッチに対応するアプリケーションを削除する。
【００５４】
具体的には、検出したタッチが所定のアプリケーション削除ジェスチャーにマッチングする場合、まず、現在ユーザインタフェースに表示されているレイヤーの種類を特定し、現在ユーザインタフェースに表示されているのが基礎レイヤーであると、前記タッチに対応するアプリケーションをアンインストールするとともに、前記タッチに対応するアプリケーションのアイコンを各レイヤーから削除し、現在ユーザインタフェースに表示されているのが拡張レイヤーであると、前記タッチに対応するアプリケーションのアイコンを現在表示されている拡張レイヤーから削除する。
【００５５】
このように、本実施例において、基礎レイヤーと拡張レイヤーのそれぞれに対して、異なるアプリケーション削除方式を提供し、現在ユーザインタフェースに表示されているのが基礎レイヤーであると、アプリケーション削除が「ハード削除」であり、即ちアプリケーションを電子機器からアンインストールし、それに伴い、アンインストールされたアプリケーションのアイコンを各レイヤーから削除し、現在ユーザインタフェースに表示されているのが拡張レイヤーであると、アプリケーション削除が「ソフト削除」であり、アプリケーションのアイコンを現在表示されている拡張レイヤーから削除するが、当該アプリケーションは、まだ電子機器に残り、そのアイコンが他のレイヤーにおいて表示されてもよい。
【００５６】
任意に置き換え可能な実施形態として、現在ユーザインタフェースに表示されているのが拡張レイヤーであると、まず、ユーザインタフェースに削除方式の通知を表示して、図４に示すように、ユーザにアプリケーションをアンインストールしてもよく、現在表示されている拡張レイヤーからアプリケーションのアイコンのみを削除してもよいよう通知し、そして、ユーザの選択により、アプリケーションのアイコンを現在表示されている拡張レイヤーから削除し、或いはアプリケーションをアンインストールするとともに、前記タッチに対応するアプリケーションのアイコンを各レイヤーから削除する。当該実施形態において、拡張レイヤーにも「ハード削除」の機能を提供し、ユーザの選択により操作を実行し、操作方式がより柔軟にある。
【００５７】
実施例３
図５は、本発明の実施例の実施例３におけるユーザインタフェース管理方法を示すフローチャートであり、当該方法は、以下のステップを含む。
ステップ５１：タッチディスプレイとのタッチを検出する。
ステップ５２：前記タッチにマッチングする所定のジェスチャーを特定する。
ステップ５３：前記タッチが所定のアプリケーション追加ジェスチャーにマッチングすると、現在ユーザインタフェースに表示されているレイヤーにアプリケーションを追加し、ここで、異なるレイヤーは、完全に同じではないアプリケーションのアイコンを含む。
【００５８】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００５９】
所定のアプリケーション追加ジェスチャーは、２点タッチで左水平にスライドするものであり、ステップ５１において検出したタッチが所定のアプリケーション追加ジェスチャーにマッチングする場合、現在ユーザインタフェースに表示されているレイヤーにアプリケーションを追加する。
具体的には、検出したタッチが所定のアプリケーション追加ジェスチャーにマッチングする場合、まず、ユーザインタフェースに選択可能なアプリケーションリストを表示し、ユーザがその中の１つ以上のアプリケーションを選択してことを特定し、現在ユーザインタフェースに表示されているレイヤーにユーザにより選択されたアプリケーションを追加する。
【００６０】
ここでのアプリケーションリストは、現在表示されている、異なるレイヤーに基づいて、以下の２つのケースがある。
【００６１】
第一、現在ユーザインタフェースに表示されているのが拡張レイヤーであると、アプリケーションリストは、電子機器にすでにインストールされた全てのアプリケーションを含む。
【００６２】
第二、現在ユーザインタフェースに表示されているのが基礎レイヤーであると、アプリケーションリストは、ダウンロード且つインストール可能なアプリケーションを含む。例えば、アプリケーションをダウンロードするための専用アプリケーションを開き、当該専用アプリケーションのリストをユーザインタフェースに表示してユーザに選択させることができる。
【００６３】
ユーザは、一点タッチで追加しようとするアプリケーションを選択でき、当該一点タッチを検出すると、ユーザがアプリケーションを選択したことを特定できる。
対応するように、現在ユーザインタフェースに表示されているのが拡張レイヤーであると、当該拡張レイヤーにユーザにより選択されたアプリケーションのアイコンを追加する。現在ユーザインタフェースに表示されているのが基礎レイヤーであると、ユーザにより選択されたアプリケーションをダウンロードし、且つインストールする必要があり、また、基礎レイヤーに当該アプリケーションのアイコンを追加する。
【００６４】
実施例４
図６は、本発明の実施例の実施例４におけるユーザインタフェース管理方法を示すフローチャートであり、当該方法は、以下のステップを含む。
ステップ６１：タッチディスプレイとのタッチを検出する。
ステップ６２：前記タッチにマッチングする所定のジェスチャーを特定する。
ステップ６３：前記タッチが所定のレイヤーロックジェスチャーにマッチングすると、現在ユーザインタフェースに表示されているレイヤーをロックし、ここで、異なるレイヤーは、完全に同じではないアプリケーションのアイコンを含む。
【００６５】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
所定のレイヤーロックジェスチャーは、１点タッチでスライドし閉鎖図形を形成するものであり、ステップ６１において検出されたタッチが所定のロック図形ジェスチャーにマッチングする場合、現在ユーザインタフェースに表示されているレイヤーをロックし、ロックした後にユーザがレイヤーロック解除ジェスチャーを実行するまでレイヤー切替ジェスチャーに応答せず、これにより、誤操作によるレイヤー切替表示を防止できる。ここでのレイヤーロック解除ジェスチャーは、１点タッチで反対方向に沿ってスライドすることで閉鎖図形を形成するものであってもよい。
【００６６】
実施例５
図７は、本発明の実施例の実施例５におけるユーザインタフェース管理方法を示すフローチャートであり、当該方法は、以下のステップを含む。  
ステップ７１：タッチディスプレイとのタッチを検出する。
ステップ７２：前記タッチにマッチングする所定のジェスチャーを特定する。
ステップ７３：前記タッチが所定のレイヤー編集ジェスチャーにマッチングすると、レイヤーの編集状態に遷移する。
【００６７】
所定のレイヤー編集ジェスチャーが３点タッチで縦方向にスライドするものであり、ステップ７１において検出したタッチが所定の拡張レイヤー編集ジェスチャーにマッチングすると、レイヤーの編集状態に遷移する。
【００６８】
ステップ７４：ユーザから前記編集状態で入力された編集指令を受信し、対応する編集操作を実行する。異なるレイヤーが完全に同じではない、アプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
レイヤーの編集状態に遷移した後に、ユーザは、各種の編集指令を入力でき、以下、幾つかの具体的な例を挙げる。
【００６９】
ユーザインタフェースにレイヤー編集メニューを表示し、図８に示すように、当該メニューは、既存の各拡張レイヤーのリスト、「拡張レイヤー追加」、「拡張レイヤー結合」、及び「拡張レイヤー削除」等の選択項を含む。
【００７０】
ユーザが拡張レイヤー編集メニューにおける「拡張レイヤー追加」という選択項をクリックすると、ユーザインタフェースに拡張レイヤーの設定ダイアログボックスを表示し、図９に示すように、ユーザは、入力欄９１に新たに追加する拡張レイヤーの名称を入力でき、さらに、チェックボックス９２においてドロップダウンリストの矢印９３で新たに追加する拡張レイヤーに対応する背景及びアイコンの表示スタイル等を選択することができる。これから分かるように、各拡張レイヤーは、異なる背景とアイコンの表示スタイルを有することができ、ユーザの体験を豊富にした。
【００７１】
ユーザが拡張レイヤー編集メニューにおける「拡張レイヤー削除」をクリックすると、拡張レイヤーを削除する状態に遷移し、図１０に示すように、ユーザは、削除しようとする１つ以上の拡張レイヤーをチェックして選択することができ、そして、「特定」という選択項をクリックする。本実施例において、基礎レイヤーは、ユーザによる削除を許可しないように設定されている。
ユーザが拡張レイヤー編集メニューにおける「拡張レイヤー結合」という選択項をクリックすると、拡張レイヤーを結合する状態に遷移し、図１１に示すように、ユーザは、結合しようとする２つ以上の拡張レイヤーをチェックして選択でき、そして、「特定」という選択項をクリックし、このとき、ユーザインタフェースに拡張レイヤーの設定ダイアログボックスを表示し、図９と同じように、ユーザは、当該ダイアログボックスにおいて、結合後の新たな拡張レイヤーを命名することができ、さらに、当該拡張レイヤーに対応する背景及びアイコンの表示スタイル等を選択できる。
【００７２】
ユーザがある拡張レイヤーをクリックし且つ設定時間を持続すると、ユーザインタフェースに拡張レイヤーの設定ダイアログボックスを表示し、図９に示すように、ユーザは、当該ダイアログボックスにおいて選択した拡張レイヤーの命名、背景及びアイコンの表示スタイル等を変更することができる。
【００７３】
以上、各ユーザインタフェースの模式的な図により示されたのは、例示的なものにすぎず、各メニュー、ダイアログボックスは、他の配列方式で配置されてもよく、各メニュー及びダイアログボックスにおける選択項も他の配列方式で配置されてもよい。
【００７４】
以下、本発明の実施例の１つの応用例を示す。
基礎レイヤー以外に、「ネットワークなしテーマレイヤー」、「ネットワーク接続テーマレイヤー」、「仕事テーマレイヤー」、及び「老年簡単テーマレイヤー」の４つの拡張レイヤーを構築したとする。
ここで、「ネットワークなしテーマレイヤー」は、ローカルゲームアプリケーションのアイコン、及びローカル電子ブックアプリケーションのアイコンを含み、「ネットワーク接続テーマレイヤー」は、ネットワークゲームアプリケーションのアイコン、ウェブページアクセスアプリケーションのアイコン、及び即時通信ングアプリケーションのアイコンを含み、「仕事テーマレイヤー」は、仕事に関するドキュメントアプリケーションのアイコンを含み、「老年簡単テーマレイヤー」は、ダイアルアップアプリケーションのアイコン、メッセージ送信アプリケーションのアイコン、及びカメラアプリケーションのアイコンを含む。
【００７５】
ユーザは、エレベータなどのネットワークのない位置で「ネットワークなしテーマレイヤー」に切り替え、各種のネットワークに接続する必要のないアプリケーションを便利に使用することができ、電子機器を年長者に使用させる場合、「老年簡単テーマレイヤー」に切り替えて、お年寄りが便利に使用することができる。
【００７６】
ユーザがあるレイヤーに切り替えた場合に、さらに、タッチジェスチャーで当該レイヤーにおいてアプリケーションのアイコンを削除／増加し、或いは現在表示されているレイヤーをロックすることができ、レイヤーの編集状態に遷移した後、レイヤーに対する編集操作を行うことができる。
【００７７】
実施例６
図１２は、本発明の実施例の実施例６におけるユーザインタフェース管理装置の構造を模式的に示す図であり、当該装置は、検出モジュール１２１、特定モジュール１２２、及び切替モジュール１２３を含む。
検出モジュール１２１は、タッチディスプレイのタッチを検出する。
特定モジュール１２２は、前記タッチにマッチングするジェスチャーを特定する。
切替モジュール１２３は、前記タッチが所定のレイヤー切替ジェスチャーにマッチングする場合、ユーザインタフェースに表示されるレイヤーを切り替える。
異なるレイヤーが完全に同じではないアプリケーションのアイコンを含む。
【００７８】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
１つの任意に選択する実施形態として、切替モジュール１２３は、第１処理サブモジュール及び第１切替実行サブモジュールを含む。
【００７９】
前記第１処理サブモジュールは、前記タッチが所定のレイヤー切替ジェスチャーにマッチングする場合、ユーザインタフェースに選択可能なレイヤーリストを表示し、ユーザがその中の１つのレイヤーを選択したことを特定する。
【００８０】
前記第１切替実行サブモジュールは、ユーザが選択したレイヤーをユーザインタフェースに表示する。
【００８１】
他の任意に選択する実施形態として、切替モジュール１２３は、第２処理サブモジュール及び第２切替実行サブモジュールを含む。
【００８２】
前記第２処理サブモジュールは、前記タッチが所定のレイヤー切替ジェスチャーにマッチングする場合、所定の順番に従って、現在ユーザインタフェースに表示されているレイヤーの次のレイヤーを特定する。
【００８３】
第２切替実行サブモジュールは、特定したレイヤーをユーザインタフェースに表示する。
【００８４】
実施例７
図１３は、本発明の実施例の実施例７におけるユーザインタフェース管理装置の構造を模式的に示す図であり、当該装置は、検出モジュール１３１、特定モジュール１３２、及びロックモジュール１３３を含む。
検出モジュール１３１は、タッチディスプレイのタッチを検出する。
特定モジュール１３２は、前記タッチにマッチングするジェスチャーを特定する。
ロックモジュール１３３は、前記タッチが所定のレイヤーロックジェスチャーにマッチングする場合、現在ユーザインタフェースに表示されているレイヤーをロックする。
異なるレイヤーが完全に同じではないアプリケーションのアイコンを含む。
【００８５】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００８６】
実施例８
図１４は、本発明の実施例の実施例８におけるユーザインタフェース管理装置の構造を模式的に示す図であり、当該装置は、検出モジュール１４１、特定モジュール１４２及び削除モジュール１４３を含む。
検出モジュール１４１は、タッチディスプレイのタッチを検出する。
特定モジュール１４２は、前記タッチにマッチングするジェスチャーを特定する。
削除モジュール１４３は、前記タッチが所定のアプリケーション削除ジェスチャーにマッチングする場合、現在ユーザインタフェースに表示されているレイヤーから前記タッチに対応するアプリケーションのアイコンを削除する。
【００８７】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００８８】
１つの任意に選択する実施形態として、削除モジュール１４３は、特定サブモジュールと削除実行サブモジュールを含む。前記特定サブモジュールは、現在ユーザインタフェースに表示されているレイヤータイプを特定する。
【００８９】
前記削除実行サブモジュールは、現在ユーザインタフェースに表示されているのが基礎レイヤーである場合、前記タッチに対応するアプリケーションをアンインストールするとともに、前記タッチに対応するアプリケーションのアイコンを各レイヤーから削除する。現在ユーザインタフェースに表示されているのが拡張レイヤーである場合、前記タッチに対応するアプリケーションのアイコンを現在表示されている拡張レイヤーから削除する。
【００９０】
さらに、前記削除実行サブモジュールは、現在ユーザインタフェースに表示されているのが拡張レイヤーである場合、まず、ユーザインタフェースに削除方式の通知を表示し、そして、ユーザの選択により、前記タッチに対応するアプリケーションのアイコンを現在表示されている拡張レイヤーから削除し、或いは、前記タッチに対応するアプリケーションをアンインストールするとともに、前記タッチに対応するアプリケーションのアイコンを各レイヤーから削除する。
【００９１】
実施例９
図１５は、本発明の実施例の実施例９におけるユーザインタフェース管理装置の構造を模式的に示す図であり、当該装置は、検出モジュール１５１、特定モジュール１５２、及び追加モジュール１５３を含む。
検出モジュール１５１は、タッチディスプレイのタッチを検出する。
特定モジュール１５２は、前記タッチにマッチングするジェスチャーを特定する。
追加モジュール１５３は、前記タッチが所定のアプリケーション追加ジェスチャーにマッチングする場合、現在ユーザインタフェースに表示されているレイヤーにアプリケーションのアイコンを追加する。
【００９２】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００９３】
１つの任意に選択する実施形態として、追加モジュール１５３は、表示サブモジュール及び追加実行サブモジュールを含む。
【００９４】
前記表示サブモジュールは、ユーザインタフェースに選択可能なアプリケーションリストを表示する。
【００９５】
前記追加実行サブモジュールは、ユーザがその中の１つ以上のアプリケーションを選択したことを特定し、現在ユーザインタフェースに表示されているレイヤーにユーザにより選択されたアプリケーションのアイコンを追加する。
【００９６】
実施例１０
図１６は、本発明の実施例の実施例１０におけるユーザインタフェース管理装置の構造を模式的に示す図であり、当該装置は、検出モジュール１６１、特定モジュール１６２、及び編集モジュール１６３を含む。
検出モジュール１６１は、タッチディスプレイのタッチを検出する。
特定モジュール１６２は、前記タッチにマッチングするジェスチャーを特定する。
編集モジュール１６３は、前記タッチが所定のレイヤー編集ジェスチャーにマッチングする場合、ユーザインタフェースをレイヤーの編集状態に遷移させるように制御し、ユーザから前記編集状態で入力された編集指令を受信し、レイヤーに対する編集操作を実行する。
【００９７】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
１つの任意に選択する実施形態として、前記編集操作は、拡張レイヤー追加、拡張レイヤー削除、２つ以上の拡張レイヤー結合、拡張レイヤー命名の修正、拡張レイヤーの背景及び／又はアプリケーションのアイコンスタイル修正の中の少なくとも１項を含む。
【００９８】
実施例１１
図１７は、本発明の実施例の実施例１１におけるユーザインタフェース管理装置の構造を模式的に示す図であり、当該装置は、検出モジュール１７１、特定モジュール１７２、及び管理モジュール１７３を含む。
検出モジュール１７１は、タッチディスプレイのタッチを検出する。
特定モジュール１７２は、前記タッチにマッチングするジェスチャーを特定する。
管理モジュール１７３は、前記タッチが所定のレイヤー切替ジェスチャーにマッチングする場合、ユーザインタフェースに表示されているレイヤーを切り替え、前記タッチが所定のレイヤーロックジェスチャーにマッチングする場合、現在ユーザインタフェースに表示されているレイヤーをロックし、前記タッチが所定のアプリケーション削除ジェスチャーにマッチングする場合、現在ユーザインタフェースに表示されているレイヤーから前記タッチに対応するアプリケーションのアイコンを削除し、前記タッチが所定のアプリケーション追加ジェスチャーにマッチングする場合、現在ユーザインタフェースに表示されているレイヤーにアプリケーションのアイコンを追加し、前記タッチが所定のレイヤー編集ジェスチャーにマッチングする場合、レイヤーの編集状態に遷移し、ユーザから前記編集状態で入力された編集指令を受信し、レイヤーに対する編集操作を実行する。
【００９９】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【０１００】
以上、実施例６〜実施例１１における各ユーザインタフェース管理装置において、その内部の各モジュールが操作を実行する具体的な形態は、上記の対応する方法において既に詳細に説明したため、ここで、省略する。
【０１０１】
本発明の実施例は、さらに、デバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー切替ジェスチャーにマッチングすると、ユーザインタフェースに表示されるレイヤーを切り替える機能と、を含み、
ここで、異なるレイヤーは、完全に同じではないアプリケーションのアイコンを含む。
【０１０２】
本発明の実施例は、さらに第２種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤーロックジェスチャーにマッチングすると、現在ユーザインタフェースに表示されているレイヤーをロックする機能と、を含み、
ここで、異なるレイヤーは、完全に同じではないアプリケーションのアイコンを含む。
【０１０３】
本発明の実施例は、さらに、第３種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のアプリケーション削除ジェスチャーにマッチングすると、現在ユーザインタフェースに表示されているレイヤーから前記タッチに対応するアプリケーションのアイコンを削除する機能と、を含み、
ここで、異なるレイヤーは、完全に同じではないアプリケーションのアイコンを含む。
【０１０４】
本発明の実施例は、さらに、第４種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のアプリケーション追加ジェスチャーにマッチングすると、現在ユーザインタフェースに表示されているレイヤーにアプリケーションのアイコンを追加する機能と、を含み、
ここで、異なるレイヤーは、完全に同じではないアプリケーションのアイコンを含む。
【０１０５】
本発明の実施例は、さらに、第５種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー編集ジェスチャーにマッチングすると、レイヤーの編集状態に遷移する機能と、
ユーザから前記編集状態で入力された編集指令を受信し、レイヤーに対する編集操作を実行する機能と、を含み、
ここで、異なるレイヤーは、完全に同じではないアプリケーションのアイコンを含む。
【０１０６】
本発明の実施例は、さらに、第６種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー切替ジェスチャーにマッチングすると、ユーザインタフェースに表示されるレイヤーを切り替える機能と、
前記タッチが所定のレイヤーロックジェスチャーにマッチングすると、現在ユーザインタフェースに表示されているレイヤーをロックする機能と、
前記タッチが所定のアプリケーション削除ジェスチャーにマッチングすると、現在ユーザインタフェースに表示されているレイヤーから前記タッチに対応するアプリケーションのアイコンを削除する機能と、
前記タッチが所定のアプリケーション追加ジェスチャーにマッチングすると、現在ユーザインタフェースに表示されているレイヤーにアプリケーションのアイコンを追加する機能と、
前記タッチが所定のレイヤー編集ジェスチャーにマッチングすると、レイヤーの編集状態に遷移する機能と、
ユーザから前記編集状態で入力された編集指令を受信し、レイヤーに対する編集操作を実行する機能と、を含み、
ここで、異なるレイヤーは、完全に同じではないアプリケーションのアイコンを含む。
【０１０７】
本実施例は、さらに、読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、の指令（ｉｎｓｔｒｕｃｔｉｏｎｓ）を実行させ、
ここで、異なるレイヤーは、完全に同じではないアプリケーションのアイコンを含む。
【０１０８】
本実施例は、さらに、第２種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、の指令（ｉｎｓｔｒｕｃｔｉｏｎｓ）を実行させ、
ここで、異なるレイヤーは、完全に同じではないアプリケーションのアイコンを含む。
【０１０９】
本実施例は、さらに、第３種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、の指令（ｉｎｓｔｒｕｃｔｉｏｎｓ）を実行させ、
ここで、異なるレイヤーは、完全に同じではないアプリケーションのアイコンを含む。
【０１１０】
本実施例は、さらに、第４種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、の指令（ｉｎｓｔｒｕｃｔｉｏｎｓ）を実行させ、
ここで、異なるレイヤーは、完全に同じではないアプリケーションのアイコンを含む。
【０１１１】
本実施例は、さらに、第５種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、の指令（ｉｎｓｔｒｕｃｔｉｏｎｓ）を実行させ、
ここで、異なるレイヤーは、完全に同じではないアプリケーションのアイコンを含む。
【０１１２】
本実施例は、さらに、第６種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、の指令（ｉｎｓｔｒｕｃｔｉｏｎｓ）を実行させ、
ここで、異なるレイヤーは、完全に同じではないアプリケーションのアイコンを含む。
以上、本発明の実施例に係るデバイス及び読み取り可能な不揮発性記憶媒体において、言及する機能或いはステップの具体的な実施形態は、上記の方法で詳細に説明され、ここで、省略する。
当業者は、上記実施例の全部或いは一部のステップがハードウェアによって実現されてもよく、プログラムで関連のハードウェアを命令しても実現されてもよいことを理解すべきであり、前記プログラムは、コンピュータで読み取り可能な記憶媒体に記憶されてもよく、上記記憶媒体はＲＯＭ（Ｒｅａｄ−Ｏｎｌｙ Ｍｅｍｏｒｙ）、磁気ディスク、又は光ディスクなどであってもよい。
以上は、単なる最適な実施例であり、本発明の実施例を限定せず、本発明の実施例の主旨及び原則内で行った如何なる修正、均等置換、改善等も本発明の実施例の保護範囲内に含まれる。
【図１】
2015523648.tif 000003
【図３】
2015523648.tif 000004
【図５】
2015523648.tif 000005
【図６】
2015523648.tif 000006
【図７】
2015523648.tif 000007
【図１２】
2015523648.tif 000008
【図１３】
2015523648.tif 000009
【図１４】
2015523648.tif 000010
【図１５】
2015523648.tif 000011
【図１６】
2015523648.tif 000012
【図１７】
2015523648.tif 000013
【図２】
2015523648.tif 000014
【図４】
2015523648.tif 000015
【図８】
2015523648.tif 000016
【図９】
2015523648.tif 000017
【図１０】
2015523648.tif 000018
【図１１】
2015523648.tif 000019
【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、を含み、
異なるレイヤーは、完全に同じではないアプリケーションのアイコンを含む
ことを特徴とするユーザインタフェース管理方法。
【請求項２】
前記ユーザインタフェースに表示されるレイヤーを切り替えるステップは、
ユーザインタフェースに、選択可能なレイヤーリストを表示するステップと、
ユーザがその中の１つのレイヤーを選択したことを特定するステップと、
ユーザが選択したレイヤーをユーザインタフェースに表示するステップと、を含む
ことを特徴とする請求項１に記載の方法。
【請求項３】
前記ユーザインタフェースに表示されるレイヤーを切り替えるステップは、
設定の順番に従って、現在ユーザインタフェースに表示されているレイヤーの次のレイヤーを特定するステップと、
特定したレイヤーをユーザインタフェースに表示するステップと、を含む
ことを特徴とする請求項１に記載の方法。
【請求項４】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１〜３の何れか１項に記載の方法。
【請求項５】
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、を含み、
異なるレイヤーは、完全に同じではないアプリケーションのアイコンを含む
ことを特徴とするユーザインタフェース管理方法。
【請求項６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項５に記載の方法。
【請求項７】
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、を含み、
異なるレイヤーは、完全に同じではないアプリケーションのアイコンを含む
ことを特徴とするユーザインタフェース管理方法。
【請求項８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項７に記載の方法。
【請求項９】
前記現在ユーザインタフェースに表示されているレイヤーから前記タッチに対応するアプリケーションのアイコンを削除するステップは、
現在ユーザインタフェースに表示されているレイヤーの種類を特定するステップと、
現在ユーザインタフェースに表示されているのが基礎レイヤーであると、前記タッチに対応するアプリケーションをアンインストールするとともに、前記タッチに対応するアプリケーションのアイコンを各レイヤーから削除するステップと、
現在ユーザインタフェースに表示されているのが拡張レイヤーであると、前記タッチに対応するアプリケーションのアイコンを現在ユーザインタフェースに表示されている拡張レイヤーから削除するステップと、を含む
ことを特徴とする請求項７又は８に記載の方法。
【請求項１０】
さらに、現在にユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは、前記タッチに対応するアプリケーションをアンインストールするとともに、前記タッチに対応するアプリケーションのアイコンを各レイヤーから削除するステップを含む
ことを特徴とする請求項７〜９の何れか１項に記載の方法。
【請求項１１】
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、を含み、
異なるレイヤーは、完全に同じではないアプリケーションのアイコンを含む
ことを特徴とするユーザインタフェース管理方法。
【請求項１２】
前記の現在ユーザインタフェースに表示されているレイヤーにアプリケーションのアイコンを追加するステップは、
ユーザインタフェースに選択可能なアプリケーションリストを表示するステップと、
ユーザがその中の１つ以上のアプリケーションを選択したことを特定するステップと、
現在ユーザインタフェースに表示されているレイヤーにユーザにより選択されたアプリケーションのアイコンを追加するステップと、を含む
ことを特徴とする請求項１１に記載の方法。
【請求項１３】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１１又は１２に記載の方法。
【請求項１４】
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、含み、
異なるレイヤーは、完全に同じではないアプリケーションのアイコンを含む
ことを特徴とするユーザインタフェース管理方法。
【請求項１５】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１４に記載の方法。
【請求項１６】
前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む
ことを特徴とする請求項１４又は１５に記載の方法。
【請求項１７】
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、を含み、
異なるレイヤーは、完全に同じではないアプリケーションのアイコンを含む
ことを特徴とするユーザインタフェース管理方法。
【請求項１８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１７に記載の方法。
【請求項１９】
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替えるための切替モジュールとを含み、
異なるレイヤーは、完全に同じではないアプリケーションのアイコンを含む
ことを特徴とするユーザインタフェース管理装置。
【請求項２０】
前記切替モジュールは、
前記タッチが所定のレイヤー切替ジェスチャーにマッチングすると、ユーザインタフェースに、選択可能なレイヤーリストを表示し、ユーザがその中の１つのレイヤーを選択したことを特定するための第１処理サブモジュールと、
ユーザが選択したレイヤーをユーザインタフェースに表示するための第１切替実行サブモジュールとを含む
ことを特徴とする請求項１９にユーザインタフェース管理記載の装置。
【請求項２１】
前記切替モジュールは、
前記タッチが所定のレイヤー切替ジェスチャーにマッチングすると、設定の順番に従って、現在ユーザインタフェースに表示されているレイヤーの次のレイヤーを特定するための第２処理サブモジュールと、
特定したレイヤーをユーザインタフェースに表示するための第２切替実行サブモジュールとを含む
ことを特徴とする請求項１９に記載のユーザインタフェース管理装置。
【請求項２２】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項１９〜２１の何れか１項に記載のユーザインタフェース管理装置。
【請求項２３】
タッチディスプレイとのタッチを検出するための検出モジュールと、
前記タッチにマッチングする所定のジェスチャーを特定するための特定モジュールと、
前記タッチが所定のレイヤーロックジェスチャーにマッチングすると、現在ユーザインタフェースに表示されているレイヤーをロックするためのロックモジュールとを含み、
異なるレイヤーは、完全に同じではないアプリケーションのアイコンを含む
ことを特徴とするユーザインタフェース管理装置。
【請求項２４】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２３に記載のユーザインタフェース管理装置。
【請求項２５】
タッチディスプレイとのタッチを検出するための検出モジュールと、
前記タッチにマッチングする所定のジェスチャーを特定するための特定モジュールと、
前記タッチが所定のアプリケーション削除ジェスチャーにマッチングすると、現在ユーザインタフェースに表示されているレイヤーから前記タッチに対応するアプリケーションのアイコンを削除するための削除モジュールとを含み、
異なるレイヤーは、完全に同じではないアプリケーションのアイコンを含む
ことを特徴とするユーザインタフェース管理装置。
【請求項２６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２５に記載のユーザインタフェース管理装置。
【請求項２７】
前記削除モジュールは、
現在ユーザインタフェースに表示されているレイヤーの種類を特定するための特定サブモジュールと、
現在ユーザインタフェースに表示されているのが基礎レイヤーであると、前記タッチに対応するアプリケーションをアンインストールするとともに、前記タッチに対応するアプリケーションのアイコンを各レイヤーから削除し、ユーザインタフェースに現在表示されているのが拡張レイヤーであると、前記タッチに対応するアプリケーションのアイコンを現在ユーザインタフェースに表示されている拡張レイヤーから削除するための削除実行サブモジュールとを含む
ことを特徴とする請求項２５又は２６に記載のユーザインタフェース管理装置。
【請求項２８】
前記削除サブモジュールは、さらに、現在ユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは前記タッチに対応するアプリケーションをアンインストールするとともに、前記タッチに対応するアプリケーションのアイコンを各レイヤーから削除する
ことを特徴とする請求項２５〜２７の何れか１項に記載のユーザインタフェース管理装置。
【請求項２９】
タッチディスプレイとのタッチを検出するための検出モジュールと、
前記タッチにマッチングする所定のジェスチャーを特定するための特定モジュールと、
前記タッチが所定のアプリケーション追加ジェスチャーにマッチングすると、現在ユーザインタフェースに表示されているレイヤーにアプリケーションのアイコンを追加するための追加モジュールとを含み、
異なるレイヤーは、完全に同じではないアプリケーションのアイコンを含む
ことを特徴とするユーザインタフェース管理装置。
【請求項３０】
前記追加モジュールは、
ユーザインタフェースに選択可能なアプリケーションリストを表示するための表示サブモジュールと、
ユーザがその中の１つ以上のアプリケーションを選択したことを特定し、現在ユーザインタフェースに表示されているレイヤーにユーザにより選択されたアプリケーションのアイコンを追加するための追加実行サブモジュールとを含む
ことを特徴とする請求項２９に記載のユーザインタフェース管理装置。
【請求項３１】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項２９又は３０に記載のユーザインタフェース管理装置。
【請求項３２】
タッチディスプレイとのタッチを検出するための検出モジュールと、
前記タッチにマッチングする所定のジェスチャーを特定するための特定モジュールと、
前記タッチが所定のレイヤー編集ジェスチャーにマッチングすると、ユーザインタフェースをレイヤーの編集状態に遷移させるように制御し、ユーザから前記編集状態で入力された編集指令を受信し、レイヤーに対する編集操作を実行するための編集モジュールとを含み、
異なるレイヤーは、完全に同じではないアプリケーションのアイコンを含む
ことを特徴とするユーザインタフェース管理装置。
【請求項３３】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項３２に記載のユーザインタフェース管理装置。
【請求項３４】
前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む
ことを特徴とする請求項３２又は３３に記載のユーザインタフェース管理装置。
【請求項３５】
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替え、前記タッチが所定のレイヤーロックジェスチャーにマッチングすると、現在ユーザインタフェースに表示されているレイヤーをロックし、前記タッチが所定のアプリケーション削除ジェスチャーにマッチングすると、現在ユーザインタフェースに表示されているレイヤーから前記タッチに対応するアプリケーションのアイコンを削除し、前記タッチが所定のアプリケーション追加ジェスチャーにマッチングすると、現在ユーザインタフェースに表示されているレイヤーにアプリケーションのアイコンを追加し、前記タッチが所定のレイヤー編集ジェスチャーにマッチングすると、レイヤーの編集状態に遷移し、ユーザから前記編集状態で入力された編集指令を受信し、レイヤーに対する編集操作を実行するための管理モジュールとを含み、
異なるレイヤーは、完全に同じではないアプリケーションのアイコンを含む
ことを特徴とするユーザインタフェース管理装置。
【請求項３６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む
ことを特徴とする請求項３５に記載のユーザインタフェース管理装置。
【請求項３７】
検出モジュールと、ジェスチャー特定モジュールと、切替モジュールとを備えるユーザインタフェース管理装置において、実行するプログラムであって、
検出モジュールにおいて、タッチディスプレイとのタッチを検出するための検出ステップと、
ジェスチャー特定モジュールにおいて、前記タッチにマッチングする所定のジェスチャーを特定するための特定ステップと、
切替モジュールにおいて、前記タッチが所定のレイヤー切替ジェスチャーにマッチングすると、ユーザインタフェースに表示されるレイヤーを切り替えるための切替ステップとをプロセッサに実行させ、
異なるレイヤーは、完全に同じではないアプリケーションのアイコンを含むプログラム。
【請求項３８】
検出モジュールと、ジェスチャー特定モジュールと、切替モジュールとを備えるユーザインタフェース管理装置において、実行するプログラムが記憶された記録媒体であって、
検出モジュールにおいて、タッチディスプレイとのタッチを検出するための検出ステップと、
ジェスチャー特定モジュールにおいて、前記タッチにマッチングする所定のジェスチャーを特定するための特定ステップと、
切替モジュールにおいて、前記タッチが所定のレイヤー切替ジェスチャーにマッチングすると、ユーザインタフェースに表示されるレイヤーを切り替えるための切替ステップとをプロセッサに実行させ、
異なるレイヤーは、完全に同じではないアプリケーションのアイコンを含むプログラムが記憶された記録媒体。
【手続補正２】
【補正対象書類名】明細書
【補正対象項目名】全文
【補正方法】変更
【補正の内容】
【発明の詳細な説明】
【技術分野】
【０００１】
本開示は、タッチディスプレイを有する電子機器のユーザインタフェースに関し、特に、ユーザインタフェース管理方法、ユーザインタフェース管理装置、プログラム及び記録媒体に関する。
【背景技術】
【０００２】
タッチディスプレイを有する電子機器は、ユーザと電子機器とがインタラクティブする媒体として、ユーザインタフェースを提供する。
【０００３】
ユーザインタフェースにおいて１つ或いは複数のソフトボタン、メニュー、及び各アプリケーションのショットカットアイコンを提供する。タッチディスプレイのサイズに制限されるため、ユーザインタフェースは、表示しようとする内容が多い場合、複数のページに分けて表示することができる。
【０００４】
電子機器は、ユーザとユーザインタフェースとの接触を検出し応答する。例えば、ユーザがあるアプリケーションを使用しようとする場合には、ユーザインタフェースで当該アプリケーションに対応するアイコンをタッチし、電子機器が当該タッチを検出した後、対応するアプリケーションを起動する。また、例えば、ユーザの使用しようとするアプリケーションに対応するアイコンが現在ページに表示されていない場合には、タッチディスプレイに対してスライド操作し、電子機器が当該スライドタッチを検出した後、スライド方向に沿ってユーザインタフェースに表示されている現在ページの次のページの内容を表示する。
【発明の概要】
【発明が解決しようとする課題】
【０００５】
アプリケーションの種類が多くなるに伴って、ユーザインタフェース上のアイコンが数十個より多くの場合が時々あり、そのため、以下の問題を招く、即ち、通常、ユーザは、異なる場面によって異なるアプリケーションを使用する必要があり、あるアプリケーションを使用する必要があるとき、ユーザインタフェースにおいて、当該アプリケーションのアイコンを見つけ出すのに長い時間がかかってしまうことがある
【０００６】
本発明の実施例は、ユーザに簡単な操作で、使用しようとするアプリケーションが所属するカテゴリの集合を手早く探し出させ、ユーザの操作を簡略化することができるユーザインタフェース管理方法、ユーザインタフェース管理装置、プログラム及び記録媒体を提供する。
【課題を解決するための手段】
【０００７】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、を含み、
異なるレイヤーは、完全に同じではないアプリケーションのアイコンを含む。
前記ユーザインタフェースに表示されるレイヤーを切り替えるステップは、
【０００８】
ユーザインタフェースに、選択可能なレイヤーリストを表示するステップと、
ユーザがその中の１つのレイヤーを選択したことを特定するステップと、
ユーザが選択したレイヤーをユーザインタフェースに表示するステップと、を含む。
前記ユーザインタフェースに表示されるレイヤーを切り替えるステップは、
設定の順番に従って、現在ユーザインタフェースに表示されているレイヤーの次のレイヤーを特定するステップと、
特定したレイヤーをユーザインタフェースに表示するステップと、を含む。
【０００９】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１０】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１１】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１２】
さらに前記現在ユーザインタフェースに表示されているレイヤーから前記タッチに対応するアプリケーションのアイコンを削除するステップは、
現在ユーザインタフェースに表示されているレイヤーの種類を特定するステップと、
現在ユーザインタフェースに表示されているのが基礎レイヤーであると、前記タッチに対応するアプリケーションをアンインストールするとともに、前記タッチに対応するアプリケーションのアイコンを各レイヤーから削除するステップと、
現在ユーザインタフェースに表示されているのが拡張レイヤーであると、前記タッチに対応するアプリケーションのアイコンを現在ユーザインタフェースに表示されている拡張レイヤーから削除するステップと、を含む。
【００１３】
さらに、現在にユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは、前記タッチに対応するアプリケーションをアンインストールするとともに、前記タッチに対応するアプリケーションのアイコンを各レイヤーから削除するステップを含む。
【００１４】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、を含み、
異なるレイヤーは、完全に同じではないアプリケーションのアイコンを含む。
【００１５】
前記の現在ユーザインタフェースに表示されているレイヤーにアプリケーションのアイコンを追加するステップは、
ユーザインタフェースに選択可能なアプリケーションリストを表示するステップと、
ユーザがその中の１つ以上のアプリケーションを選択したことを特定するステップと、
現在ユーザインタフェースに表示されているレイヤーにユーザにより選択されたアプリケーションのアイコンを追加するステップと、を含む。
【００１６】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１７】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００１８】
さらに、前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む。
【００１９】
本発明の実施例は、ユーザインタフェース管理方法を提供し、前記ユーザインタフェース管理方法は、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、を含み、
異なるレイヤーは、完全に同じではないアプリケーションのアイコンを含む。
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２０】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替えるための切替モジュールとを含み、
異なるレイヤーは、完全に同じではないアプリケーションのアイコンを含む。
前記切替モジュールは、
【００２１】
前記タッチが所定のレイヤー切替ジェスチャーにマッチングすると、ユーザインタフェースに、選択可能なレイヤーリストを表示し、ユーザがその中の１つのレイヤーを選択したことを特定するための第１処理サブモジュールと、
ユーザが選択したレイヤーをユーザインタフェースに表示するための第１切替実行サブモジュールとを含む。
【００２２】
前記切替モジュールは、
前記タッチが所定のレイヤー切替ジェスチャーにマッチングすると、設定の順番に従って、現在ユーザインタフェースに表示されているレイヤーの次のレイヤーを特定するための第２処理サブモジュールと、
【００２３】
特定したレイヤーをユーザインタフェースに表示するための第２切替実行サブモジュールとを含む。
【００２４】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２５】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤーロックジェスチャーにマッチングすると、現在ユーザインタフェースに表示されているレイヤーをロックするためのロックモジュールとを含み、
異なるレイヤーは、完全に同じではないアプリケーションのアイコンを含む。
【００２６】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２７】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のアプリケーション削除ジェスチャーにマッチングすると、現在ユーザインタフェースに表示されているレイヤーから前記タッチに対応するアプリケーションのアイコンを削除するための削除モジュールとを含み、
異なるレイヤーは、完全に同じではないアプリケーションのアイコンを含む。
【００２８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００２９】
さらに、前記削除モジュールは、
現在ユーザインタフェースに表示されているレイヤーの種類を特定するための特定サブモジュールと、
現在ユーザインタフェースに表示されているのが基礎レイヤーであると、前記タッチに対応するアプリケーションをアンインストールするとともに、前記タッチに対応するアプリケーションのアイコンを各レイヤーから削除し、ユーザインタフェースに現在表示されているのが拡張レイヤーであると、前記タッチに対応するアプリケーションのアイコンを現在ユーザインタフェースに表示されている拡張レイヤーから削除するための削除実行サブモジュールとを含む。
【００３０】
さらに、前記削除実行サブモジュールは、さらに、現在ユーザインタフェースに表示されているのが拡張レイヤーであると、まず、ユーザインタフェースに削除方式の通知を表示し、そして、ユーザの選択により、前記タッチに対応するアプリケーションのアイコンを現在ユーザインタフェースに表示されている拡張レイヤーから削除し、或いは前記タッチに対応するアプリケーションをアンインストールするとともに、前記タッチに対応するアプリケーションのアイコンを各レイヤーから削除する。
【００３１】
本発明の実施例は、ユーザインタフェース管理装置を提供し、前記ユーザインタフェース管理は、
タッチディスプレイとのタッチを検出するための検出モジュールと、
前記タッチにマッチングする所定のジェスチャーを特定するための特定モジュールと、
前記タッチが所定のアプリケーション追加ジェスチャーにマッチングすると、現在ユーザインタフェースに表示されているレイヤーにアプリケーションのアイコンを追加するための追加モジュールとを含み、
異なるレイヤーは、完全に同じではないアプリケーションのアイコンを含む。
【００３２】
前記追加モジュールは、
ユーザインタフェースに選択可能なアプリケーションリストを表示するための表示サブモジュールと、
ユーザがその中の１つ以上のアプリケーションを選択したことを特定し、現在ユーザインタフェースに表示されているレイヤーにユーザにより選択されたアプリケーションのアイコンを追加するための追加実行サブモジュールとを含む。
【００３３】
さらに、前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００３４】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤー編集ジェスチャーにマッチングすると、ユーザインタフェースをレイヤーの編集状態に遷移させるように制御し、ユーザから前記編集状態で入力された編集指令を受信し、レイヤーに対する編集操作を実行するための編集モジュールとを含み、
異なるレイヤーは、完全に同じではないアプリケーションのアイコンを含む。
【００３５】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
【００３６】
さらに、前記編集操作は、拡張レイヤー追加、拡張レイヤー削除、２つ以上の拡張レイヤー結合、拡張レイヤーの命名修正、拡張レイヤーの背景修正、及び拡張レイヤーにおけるアプリケーションのアイコンスタイル修正の少なくも１項を含む。
【００３７】
本発明の実施例は、ユーザインタフェース管理装置を提供し、前記ユーザインタフェース管理装置は、
タッチディスプレイとのタッチを検出するための検出モジュールと、
前記タッチにマッチングする所定のジェスチャーを特定するための特定モジュールと、
前記タッチが所定のレイヤー切替ジェスチャーにマッチングすると、ユーザインタフェースに表示されるレイヤーを切り替え、前記タッチが所定のレイヤーロックジェスチャーにマッチングすると、現在ユーザインタフェースに表示されているレイヤーをロックし、前記タッチが所定のアプリケーション削除ジェスチャーにマッチングすると、現在ユーザインタフェースに表示されているレイヤーから前記タッチに対応するアプリケーションのアイコンを削除し、前記タッチが所定のアプリケーション追加ジェスチャーにマッチングすると、現在ユーザインタフェースに表示されているレイヤーにアプリケーションのアイコンを追加し、前記タッチが所定のレイヤー編集ジェスチャーにマッチングすると、レイヤーの編集状態に遷移し、ユーザから前記編集状態で入力された編集指令を受信し、レイヤーに対する編集操作を実行するための管理モジュールとを含み、
異なるレイヤーは、完全に同じではないアプリケーションのアイコンを含む。
【００３８】
前記レイヤーは、基礎レイヤー及び拡張レイヤーを含み、基礎レイヤーは、全てのアプリケーションのアイコンを含み、異なる拡張レイヤーは、異なるカテゴリに属するアプリケーションのアイコンを含む。
本発明は、さらに、
出モジュールと、ジェスチャー特定モジュールと、切替モジュールとを備えるユーザインタフェース管理装置において、実行するプログラムであって、
検出モジュールにおいて、タッチディスプレイとのタッチを検出するための検出ステップと、
ジェスチャー特定モジュールにおいて、前記タッチにマッチングする所定のジェスチャーを特定するための特定ステップと、
切替モジュールにおいて、前記タッチが所定のレイヤー切替ジェスチャーにマッチングすると、ユーザインタフェースに表示されるレイヤーを切り替えるための切替ステップとをプロセッサに実行させ、
異なるレイヤーは、完全に同じではないアプリケーションのアイコンを含むプログラム。
プロセッサに実行されることにより、請求項１乃至１８のいずれか１項に記載のユーザインタフェース管理方法を実現することを特徴とするプログラムを提供する。
本発明は、
検出モジュールと、ジェスチャー特定モジュールと、切替モジュールとを備えるユーザインタフェース管理装置において、実行するプログラムが記憶された記録媒体であって、
検出モジュールにおいて、タッチディスプレイとのタッチを検出するための検出ステップと、
ジェスチャー特定モジュールにおいて、前記タッチにマッチングする所定のジェスチャーを特定するための特定ステップと、
切替モジュールにおいて、前記タッチが所定のレイヤー切替ジェスチャーにマッチングすると、ユーザインタフェースに表示されるレイヤーを切り替えるための切替ステップとをプロセッサに実行させ、
異なるレイヤーは、完全に同じではないアプリケーションのアイコンを含むプログラムが記憶された記録媒体を提供する。
【発明の効果】
【００３９】
本発明の実施例に係る技術方案がもたらした有益な効果は、
ユーザインタフェースは、異なるレイヤーを表示でき、異なるレイヤーは、完全に同じではないアプリケーションのアイコンを含み、ユーザは、タッチディスプレイで簡単なタッチジェスチャーを行うだけで現在ユーザインタフェースに表示されているレイヤーを切り替えることができ、現在使用しようとするアプリケーションの集合を手早く探し出せ、ユーザの操作を簡略化した。
【図面の簡単な説明】
【００４０】
本発明の実施例における技術案をより明確に説明するために、以下、本発明の実施例の記述に用いられる必要となる図面について簡単に説明し、以下に記載の図面は、単なる本発明の実施例のいくつかの例示であり、当業者にとって、創造的な作業をしなくても、これらの図面に基づいて他の図面を取得することができることを言うまでもない。
【図１】本発明の実施例の実施例１におけるユーザインタフェース管理方法を示すフローチャートである。
【図２】レイヤーリストを表示するユーザインタフェースの模式的な図である。
【図３】本発明の実施例の実施例２におけるユーザインタフェース管理方法を示すフローチャートである。
【図４】削除方式の通知を表示するユーザインタフェースの模式的な図である。
【図５】本発明の実施例の実施例３におけるユーザインタフェース管理方法を示すフローチャートである。
【図６】本発明の実施例の実施例４におけるユーザインタフェース管理方法を示すフローチャートである。
【図７】本発明の実施例の実施例５におけるユーザインタフェース管理方法を示すフローチャートである。
【図８】レイヤー編集メニューを表示するユーザインタフェースの模式的な図である。
【図９】拡張レイヤーの設定ダイアログボックスを表示するユーザインタフェースの模式的な図である。
【図１０】拡張レイヤーを削除する状態を表示するユーザインタフェースの模式的な図である。
【図１１】拡張レイヤーを結合する状態を表示するユーザインタフェースの模式的な図である。
【図１２】本発明の実施例の実施例６におけるユーザインタフェース管理装置の構造を模式的に示す図である。
【図１３】本発明の実施例の実施例７におけるユーザインタフェース管理装置の構造を模式的に示す図である。
【図１４】本発明の実施例の実施例８におけるユーザインタフェース管理装置の構造を模式的に示す図である。
【図１５】本発明の実施例の実施例９におけるユーザインタフェース管理装置の構造を模式的に示す図である。
【図１６】本発明の実施例の実施例１０におけるユーザインタフェース管理装置の構造を模式的に示す図である。
【図１７】本発明の実施例の実施例１１におけるユーザインタフェース管理装置の構造を模式的に示す図である。
【発明を実施するための形態】
【００４１】
本発明の実施例の目的、技術案及び利点をより明確にするために、以下の図面に基づいて、好ましい実施例について詳細に説明する。
【００４２】
実施例１
図１は、本発明の実施例の実施例１におけるユーザインタフェース管理方法を示すフローチャートであり、当該方法は、以下のステップを含む。
ステップ１１：タッチディスプレイとのタッチを検出する。
ステップ１２：前記タッチにマッチングする所定のジェスチャーを特定する。
ステップ１３：前記タッチが所定のレイヤー切替ジェスチャーとマッチングすると、ユーザインタフェースに表示されるレイヤーを切り替え、ここで、異なるレイヤーは、完全に同じではないアプリケーションのアイコンを含む。
【００４３】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のカスタム定義によるカテゴリであり、カテゴリ名は、拡張レイヤーのテーマ名称としてもよい。
【００４４】
所定のレイヤー切替ジェスチャーは、タッチディスプレイに対して２点タッチで縦方向にスライドするものであり、ステップ１１において検出したタッチと当該所定のレイヤー切替ジェスチャーがマッチングする場合、ユーザインタフェースに表示されるレイヤーを切り替える。
切替操作は、以下の２つの任意に選択する実施形態がある。
【００４５】
実施形態１は、以下のサブステップを含む。
ステップ１３１：ユーザインタフェースにおいて選択可能なレイヤーリストを表示する。
図２に示したレイヤーリストのように、ユーザは、現在選択可能な、基礎レイヤー、拡張レイヤー１、拡張レイヤー２、及び拡張レイヤー３を含む全てのレイヤーを取得することができ、ここで、基礎レイヤーと拡張レイヤーのみを例とし、実際に応用する際に、レイヤーリストで例えば「ネットワークなしテーマレイヤー」や、「ネットワーク接続テーマレイヤー」等の拡張レイヤーのテーマ名称を直接に表示することができる。
【００４６】
ステップ１３２：ユーザがその中の１つのレイヤーを選択することを特定する。
ユーザが一点タッチで切り替えようとするレイヤーを直接に選択することができ、ユーザの当該一点タッチを検出した後、ユーザが１つのレイヤーを選択することを特定する。
ステップ１３３：ユーザが選択したレイヤーをユーザインタフェースに表示する。
【００４７】
例えば、現在ユーザインタフェースに表示されているのが基礎レイヤーであり、ユーザが拡張レイヤー２に切り替えようとすると、ステップ１３１〜ステップ１３３による選択を実行することにより実現でき、操作を簡略化した上で快速の切り替えを実現できる。また、ユーザは、各拡張レイヤーに含まれるアプリケーションのアイコンの種類を記憶する必要がなく、レイヤーリストにおける拡張レイヤーのテーマ名称により識別することができるため、ユーザの操作をさらに簡略化できる。
【００４８】
実施形態２は、以下のサブステップを含む。
ステップ１３１'：所定の順番に従って、現在ユーザインタフェースに表示されているレイヤーの次のレイヤーを特定する。
【００４９】
基礎レイヤーは、デフォルトで１つ目のレイヤーであり、他の拡張レイヤーは、１つずつ構築され、この点については、後述の実施例において詳細に説明するため、ここでの所定の順番は、各レイヤーの構築順番であってもよく、他のカスタム定義による順番であってもよい。
ステップ１３２'：特定したレイヤーをユーザインタフェースに表示する。
【００５０】
本実施形態で、レイヤーの構築順番が基礎レイヤー、拡張レイヤー１、拡張レイヤー２、拡張レイヤー３となり、現在ユーザインタフェースに表示されているのが拡張レイヤー１であるとすると、ステップ１３１'及びステップ１３２'を経て拡張レイヤー２をユーザインタフェースに表示する。ユーザは、拡張レイヤー３をユーザインタフェースに表示しようとすると、ステップ１１〜１３を繰り返して行う必要がある。
【００５１】
実施例２
図３は、本発明の実施例の実施例２におけるユーザインタフェース管理方法を示すフローチャートであり、当該方法は、以下のステップを含む。
ステップ３１：タッチディスプレイとのタッチを検出する。
ステップ３２：前記タッチにマッチングする所定のジェスチャーを特定する。
ステップ３３：前記タッチが所定のアプリケーション削除ジェスチャーにマッチングすると、現在ユーザインタフェースに表示されているレイヤーにおいて前記タッチに対応するアプリケーションを削除し、ここで、異なるレイヤーは、完全に同じではないアプリケーションのアイコンを含む。
【００５２】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００５３】
所定のアプリケーション削除ジェスチャーは、タッチディスプレイに対して２点タッチで右水平にスライドするものであり、両点タッチにおける少なくとも１つのタッチ点が削除しようとするアプリケーションに当たる必要があり、ステップ３１において検出したタッチが当該所定のアプリケーション削除ジェスチャーにマッチングする場合、現在ユーザインタフェースに表示されているレイヤーにおいて前記タッチに対応するアプリケーションを削除する。
【００５４】
具体的には、検出したタッチが所定のアプリケーション削除ジェスチャーにマッチングする場合、まず、現在ユーザインタフェースに表示されているレイヤーの種類を特定し、現在ユーザインタフェースに表示されているのが基礎レイヤーであると、前記タッチに対応するアプリケーションをアンインストールするとともに、前記タッチに対応するアプリケーションのアイコンを各レイヤーから削除し、現在ユーザインタフェースに表示されているのが拡張レイヤーであると、前記タッチに対応するアプリケーションのアイコンを現在表示されている拡張レイヤーから削除する。
【００５５】
このように、本実施例において、基礎レイヤーと拡張レイヤーのそれぞれに対して、異なるアプリケーション削除方式を提供し、現在ユーザインタフェースに表示されているのが基礎レイヤーであると、アプリケーション削除が「ハード削除」であり、即ちアプリケーションを電子機器からアンインストールし、それに伴い、アンインストールされたアプリケーションのアイコンを各レイヤーから削除し、現在ユーザインタフェースに表示されているのが拡張レイヤーであると、アプリケーション削除が「ソフト削除」であり、アプリケーションのアイコンを現在表示されている拡張レイヤーから削除するが、当該アプリケーションは、まだ電子機器に残り、そのアイコンが他のレイヤーにおいて表示されてもよい。
【００５６】
任意に置き換え可能な実施形態として、現在ユーザインタフェースに表示されているのが拡張レイヤーであると、まず、ユーザインタフェースに削除方式の通知を表示して、図４に示すように、ユーザにアプリケーションをアンインストールしてもよく、現在表示されている拡張レイヤーからアプリケーションのアイコンのみを削除してもよいよう通知し、そして、ユーザの選択により、アプリケーションのアイコンを現在表示されている拡張レイヤーから削除し、或いはアプリケーションをアンインストールするとともに、前記タッチに対応するアプリケーションのアイコンを各レイヤーから削除する。当該実施形態において、拡張レイヤーにも「ハード削除」の機能を提供し、ユーザの選択により操作を実行し、操作方式がより柔軟にある。
【００５７】
実施例３
図５は、本発明の実施例の実施例３におけるユーザインタフェース管理方法を示すフローチャートであり、当該方法は、以下のステップを含む。
ステップ５１：タッチディスプレイとのタッチを検出する。
ステップ５２：前記タッチにマッチングする所定のジェスチャーを特定する。
ステップ５３：前記タッチが所定のアプリケーション追加ジェスチャーにマッチングすると、現在ユーザインタフェースに表示されているレイヤーにアプリケーションを追加し、ここで、異なるレイヤーは、完全に同じではないアプリケーションのアイコンを含む。
【００５８】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００５９】
所定のアプリケーション追加ジェスチャーは、２点タッチで左水平にスライドするものであり、ステップ５１において検出したタッチが所定のアプリケーション追加ジェスチャーにマッチングする場合、現在ユーザインタフェースに表示されているレイヤーにアプリケーションを追加する。
具体的には、検出したタッチが所定のアプリケーション追加ジェスチャーにマッチングする場合、まず、ユーザインタフェースに選択可能なアプリケーションリストを表示し、ユーザがその中の１つ以上のアプリケーションを選択してことを特定し、現在ユーザインタフェースに表示されているレイヤーにユーザにより選択されたアプリケーションを追加する。
【００６０】
ここでのアプリケーションリストは、現在表示されている、異なるレイヤーに基づいて、以下の２つのケースがある。
【００６１】
第一、現在ユーザインタフェースに表示されているのが拡張レイヤーであると、アプリケーションリストは、電子機器にすでにインストールされた全てのアプリケーションを含む。
【００６２】
第二、現在ユーザインタフェースに表示されているのが基礎レイヤーであると、アプリケーションリストは、ダウンロード且つインストール可能なアプリケーションを含む。例えば、アプリケーションをダウンロードするための専用アプリケーションを開き、当該専用アプリケーションのリストをユーザインタフェースに表示してユーザに選択させることができる。
【００６３】
ユーザは、一点タッチで追加しようとするアプリケーションを選択でき、当該一点タッチを検出すると、ユーザがアプリケーションを選択したことを特定できる。
対応するように、現在ユーザインタフェースに表示されているのが拡張レイヤーであると、当該拡張レイヤーにユーザにより選択されたアプリケーションのアイコンを追加する。現在ユーザインタフェースに表示されているのが基礎レイヤーであると、ユーザにより選択されたアプリケーションをダウンロードし、且つインストールする必要があり、また、基礎レイヤーに当該アプリケーションのアイコンを追加する。
【００６４】
実施例４
図６は、本発明の実施例の実施例４におけるユーザインタフェース管理方法を示すフローチャートであり、当該方法は、以下のステップを含む。
ステップ６１：タッチディスプレイとのタッチを検出する。
ステップ６２：前記タッチにマッチングする所定のジェスチャーを特定する。
ステップ６３：前記タッチが所定のレイヤーロックジェスチャーにマッチングすると、現在ユーザインタフェースに表示されているレイヤーをロックし、ここで、異なるレイヤーは、完全に同じではないアプリケーションのアイコンを含む。
【００６５】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
所定のレイヤーロックジェスチャーは、１点タッチでスライドし閉鎖図形を形成するものであり、ステップ６１において検出されたタッチが所定のレイヤーロックジェスチャーにマッチングする場合、現在ユーザインタフェースに表示されているレイヤーをロックし、ロックした後にユーザがレイヤーロック解除ジェスチャーを実行するまでレイヤー切替ジェスチャーに応答せず、これにより、誤操作によるレイヤー切替表示を防止できる。ここでのレイヤーロック解除ジェスチャーは、１点タッチで反対方向に沿ってスライドすることで閉鎖図形を形成するものであってもよい。
【００６６】
実施例５
図７は、本発明の実施例の実施例５におけるユーザインタフェース管理方法を示すフローチャートであり、当該方法は、以下のステップを含む。  
ステップ７１：タッチディスプレイとのタッチを検出する。
ステップ７２：前記タッチにマッチングする所定のジェスチャーを特定する。
ステップ７３：前記タッチが所定のレイヤー編集ジェスチャーにマッチングすると、レイヤーの編集状態に遷移する。
【００６７】
所定のレイヤー編集ジェスチャーが３点タッチで縦方向にスライドするものであり、ステップ７１において検出したタッチが所定の拡張レイヤー編集ジェスチャーにマッチングすると、レイヤーの編集状態に遷移する。
【００６８】
ステップ７４：ユーザから前記編集状態で入力された編集指令を受信し、対応する編集操作を実行する。異なるレイヤーが完全に同じではない、アプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
レイヤーの編集状態に遷移した後に、ユーザは、各種の編集指令を入力でき、以下、幾つかの具体的な例を挙げる。
【００６９】
ユーザインタフェースにレイヤー編集メニューを表示し、図８に示すように、当該メニューは、既存の各拡張レイヤーのリスト、「拡張レイヤー追加」、「拡張レイヤー結合」、及び「拡張レイヤー削除」等の選択項を含む。
【００７０】
ユーザが拡張レイヤー編集メニューにおける「拡張レイヤー追加」という選択項をクリックすると、ユーザインタフェースに拡張レイヤーの設定ダイアログボックスを表示し、図９に示すように、ユーザは、入力欄９１に新たに追加する拡張レイヤーの名称を入力でき、さらに、チェックボックス９２においてドロップダウンリストの矢印９３で新たに追加する拡張レイヤーに対応する背景及びアイコンの表示スタイル等を選択することができる。これから分かるように、各拡張レイヤーは、異なる背景とアイコンの表示スタイルを有することができ、ユーザの体験を豊富にした。
【００７１】
ユーザが拡張レイヤー編集メニューにおける「拡張レイヤー削除」をクリックすると、拡張レイヤーを削除する状態に遷移し、図１０に示すように、ユーザは、削除しようとする１つ以上の拡張レイヤーをチェックして選択することができ、そして、「特定」という選択項をクリックする。本実施例において、基礎レイヤーは、ユーザによる削除を許可しないように設定されている。
ユーザが拡張レイヤー編集メニューにおける「拡張レイヤー結合」という選択項をクリックすると、拡張レイヤーを結合する状態に遷移し、図１１に示すように、ユーザは、結合しようとする２つ以上の拡張レイヤーをチェックして選択でき、そして、「特定」という選択項をクリックし、このとき、ユーザインタフェースに拡張レイヤーの設定ダイアログボックスを表示し、図９と同じように、ユーザは、当該ダイアログボックスにおいて、結合後の新たな拡張レイヤーを命名することができ、さらに、当該拡張レイヤーに対応する背景及びアイコンの表示スタイル等を選択できる。
【００７２】
ユーザがある拡張レイヤーをクリックし且つ設定時間を持続すると、ユーザインタフェースに拡張レイヤーの設定ダイアログボックスを表示し、図９に示すように、ユーザは、当該ダイアログボックスにおいて選択した拡張レイヤーの命名、背景及びアイコンの表示スタイル等を変更することができる。
【００７３】
以上、各ユーザインタフェースの模式的な図により示されたのは、例示的なものにすぎず、各メニュー、ダイアログボックスは、他の配列方式で配置されてもよく、各メニュー及びダイアログボックスにおける選択項も他の配列方式で配置されてもよい。
【００７４】
以下、本発明の実施例の１つの応用例を示す。
基礎レイヤー以外に、「ネットワークなしテーマレイヤー」、「ネットワーク接続テーマレイヤー」、「仕事テーマレイヤー」、及び「老年簡単テーマレイヤー」の４つの拡張レイヤーを構築したとする。
ここで、「ネットワークなしテーマレイヤー」は、ローカルゲームアプリケーションのアイコン、及びローカル電子ブックアプリケーションのアイコンを含み、「ネットワーク接続テーマレイヤー」は、ネットワークゲームアプリケーションのアイコン、ウェブページアクセスアプリケーションのアイコン、及び即時通信ングアプリケーションのアイコンを含み、「仕事テーマレイヤー」は、仕事に関するドキュメントアプリケーションのアイコンを含み、「老年簡単テーマレイヤー」は、ダイアルアップアプリケーションのアイコン、メッセージ送信アプリケーションのアイコン、及びカメラアプリケーションのアイコンを含む。
【００７５】
ユーザは、エレベータなどのネットワークのない位置で「ネットワークなしテーマレイヤー」に切り替え、各種のネットワークに接続する必要のないアプリケーションを便利に使用することができ、電子機器を年長者に使用させる場合、「老年簡単テーマレイヤー」に切り替えて、お年寄りが便利に使用することができる。
【００７６】
ユーザがあるレイヤーに切り替えた場合に、さらに、タッチジェスチャーで当該レイヤーにおいてアプリケーションのアイコンを削除／増加し、或いは現在表示されているレイヤーをロックすることができ、レイヤーの編集状態に遷移した後、レイヤーに対する編集操作を行うことができる。
【００７７】
実施例６
図１２は、本発明の実施例の実施例６におけるユーザインタフェース管理装置の構造を模式的に示す図であり、当該装置は、検出モジュール１２１、特定モジュール１２２、及び切替モジュール１２３を含む。
検出モジュール１２１は、タッチディスプレイのタッチを検出する。
特定モジュール１２２は、前記タッチにマッチングするジェスチャーを特定する。
切替モジュール１２３は、前記タッチが所定のレイヤー切替ジェスチャーにマッチングする場合、ユーザインタフェースに表示されるレイヤーを切り替える。
異なるレイヤーが完全に同じではないアプリケーションのアイコンを含む。
【００７８】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
１つの任意に選択する実施形態として、切替モジュール１２３は、第１処理サブモジュール及び第１切替実行サブモジュールを含む。
【００７９】
前記第１処理サブモジュールは、前記タッチが所定のレイヤー切替ジェスチャーにマッチングする場合、ユーザインタフェースに選択可能なレイヤーリストを表示し、ユーザがその中の１つのレイヤーを選択したことを特定する。
【００８０】
前記第１切替実行サブモジュールは、ユーザが選択したレイヤーをユーザインタフェースに表示する。
【００８１】
他の任意に選択する実施形態として、切替モジュール１２３は、第２処理サブモジュール及び第２切替実行サブモジュールを含む。
【００８２】
前記第２処理サブモジュールは、前記タッチが所定のレイヤー切替ジェスチャーにマッチングする場合、所定の順番に従って、現在ユーザインタフェースに表示されているレイヤーの次のレイヤーを特定する。
【００８３】
第２切替実行サブモジュールは、特定したレイヤーをユーザインタフェースに表示する。
【００８４】
実施例７
図１３は、本発明の実施例の実施例７におけるユーザインタフェース管理装置の構造を模式的に示す図であり、当該装置は、検出モジュール１３１、特定モジュール１３２、及びロックモジュール１３３を含む。
検出モジュール１３１は、タッチディスプレイのタッチを検出する。
特定モジュール１３２は、前記タッチにマッチングするジェスチャーを特定する。
ロックモジュール１３３は、前記タッチが所定のレイヤーロックジェスチャーにマッチングする場合、現在ユーザインタフェースに表示されているレイヤーをロックする。
異なるレイヤーが完全に同じではないアプリケーションのアイコンを含む。
【００８５】
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００８６】
実施例８
図１４は、本発明の実施例の実施例８におけるユーザインタフェース管理装置の構造を模式的に示す図であり、当該装置は、検出モジュール１４１、特定モジュール１４２及び削除モジュール１４３を含む。
検出モジュール１４１は、タッチディスプレイのタッチを検出する。
特定モジュール１４２は、前記タッチにマッチングするジェスチャーを特定する。
削除モジュール１４３は、前記タッチが所定のアプリケーション削除ジェスチャーにマッチングする場合、現在ユーザインタフェースに表示されているレイヤーから前記タッチに対応するアプリケーションのアイコンを削除する。
【００８７】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００８８】
１つの任意に選択する実施形態として、削除モジュール１４３は、特定サブモジュールと削除実行サブモジュールを含む。前記特定サブモジュールは、現在ユーザインタフェースに表示されているレイヤータイプを特定する。
【００８９】
前記削除実行サブモジュールは、現在ユーザインタフェースに表示されているのが基礎レイヤーである場合、前記タッチに対応するアプリケーションをアンインストールするとともに、前記タッチに対応するアプリケーションのアイコンを各レイヤーから削除する。現在ユーザインタフェースに表示されているのが拡張レイヤーである場合、前記タッチに対応するアプリケーションのアイコンを現在表示されている拡張レイヤーから削除する。
【００９０】
さらに、前記削除実行サブモジュールは、現在ユーザインタフェースに表示されているのが拡張レイヤーである場合、まず、ユーザインタフェースに削除方式の通知を表示し、そして、ユーザの選択により、前記タッチに対応するアプリケーションのアイコンを現在表示されている拡張レイヤーから削除し、或いは、前記タッチに対応するアプリケーションをアンインストールするとともに、前記タッチに対応するアプリケーションのアイコンを各レイヤーから削除する。
【００９１】
実施例９
図１５は、本発明の実施例の実施例９におけるユーザインタフェース管理装置の構造を模式的に示す図であり、当該装置は、検出モジュール１５１、特定モジュール１５２、及び追加モジュール１５３を含む。
検出モジュール１５１は、タッチディスプレイのタッチを検出する。
特定モジュール１５２は、前記タッチにマッチングするジェスチャーを特定する。
追加モジュール１５３は、前記タッチが所定のアプリケーション追加ジェスチャーにマッチングする場合、現在ユーザインタフェースに表示されているレイヤーにアプリケーションのアイコンを追加する。
【００９２】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【００９３】
１つの任意に選択する実施形態として、追加モジュール１５３は、表示サブモジュール及び追加実行サブモジュールを含む。
【００９４】
前記表示サブモジュールは、ユーザインタフェースに選択可能なアプリケーションリストを表示する。
【００９５】
前記追加実行サブモジュールは、ユーザがその中の１つ以上のアプリケーションを選択したことを特定し、現在ユーザインタフェースに表示されているレイヤーにユーザにより選択されたアプリケーションのアイコンを追加する。
【００９６】
実施例１０
図１６は、本発明の実施例の実施例１０におけるユーザインタフェース管理装置の構造を模式的に示す図であり、当該装置は、検出モジュール１６１、特定モジュール１６２、及び編集モジュール１６３を含む。
検出モジュール１６１は、タッチディスプレイのタッチを検出する。
特定モジュール１６２は、前記タッチにマッチングするジェスチャーを特定する。
編集モジュール１６３は、前記タッチが所定のレイヤー編集ジェスチャーにマッチングする場合、ユーザインタフェースをレイヤーの編集状態に遷移させるように制御し、ユーザから前記編集状態で入力された編集指令を受信し、レイヤーに対する編集操作を実行する。
【００９７】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
１つの任意に選択する実施形態として、前記編集操作は、拡張レイヤー追加、拡張レイヤー削除、２つ以上の拡張レイヤー結合、拡張レイヤー命名の修正、拡張レイヤーの背景及び／又はアプリケーションのアイコンスタイル修正の中の少なくとも１項を含む。
【００９８】
実施例１１
図１７は、本発明の実施例の実施例１１におけるユーザインタフェース管理装置の構造を模式的に示す図であり、当該装置は、検出モジュール１７１、特定モジュール１７２、及び管理モジュール１７３を含む。
検出モジュール１７１は、タッチディスプレイのタッチを検出する。
特定モジュール１７２は、前記タッチにマッチングするジェスチャーを特定する。
管理モジュール１７３は、前記タッチが所定のレイヤー切替ジェスチャーにマッチングする場合、ユーザインタフェースに表示されているレイヤーを切り替え、前記タッチが所定のレイヤーロックジェスチャーにマッチングする場合、現在ユーザインタフェースに表示されているレイヤーをロックし、前記タッチが所定のアプリケーション削除ジェスチャーにマッチングする場合、現在ユーザインタフェースに表示されているレイヤーから前記タッチに対応するアプリケーションのアイコンを削除し、前記タッチが所定のアプリケーション追加ジェスチャーにマッチングする場合、現在ユーザインタフェースに表示されているレイヤーにアプリケーションのアイコンを追加し、前記タッチが所定のレイヤー編集ジェスチャーにマッチングする場合、レイヤーの編集状態に遷移し、ユーザから前記編集状態で入力された編集指令を受信し、レイヤーに対する編集操作を実行する。
【００９９】
異なるレイヤーが完全に同じではないアプリケーションのアイコンを含む。
任意に選択する実施形態として、前記レイヤーは、基礎レイヤー及び拡張レイヤーを含み、基礎レイヤーは、全てのアプリケーションのアイコンを含み、異なる拡張レイヤーは、異なるカテゴリのアプリケーションのアイコンを含む。ここでのカテゴリは、「ネットワークなし」、「仕事」及び「ネットワーク接続」等のユーザ自身により定義されるカテゴリである。
【０１００】
以上、実施例６〜実施例１１における各ユーザインタフェース管理装置において、その内部の各モジュールが操作を実行する具体的な形態は、上記の対応する方法において既に詳細に説明したため、ここで、省略する。
【０１０１】
本発明の実施例は、さらに、デバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー切替ジェスチャーにマッチングすると、ユーザインタフェースに表示されるレイヤーを切り替える機能と、を含み、
ここで、異なるレイヤーは、完全に同じではないアプリケーションのアイコンを含む。
【０１０２】
本発明の実施例は、さらに第２種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤーロックジェスチャーにマッチングすると、現在ユーザインタフェースに表示されているレイヤーをロックする機能と、を含み、
ここで、異なるレイヤーは、完全に同じではないアプリケーションのアイコンを含む。
【０１０３】
本発明の実施例は、さらに、第３種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のアプリケーション削除ジェスチャーにマッチングすると、現在ユーザインタフェースに表示されているレイヤーから前記タッチに対応するアプリケーションのアイコンを削除する機能と、を含み、
ここで、異なるレイヤーは、完全に同じではないアプリケーションのアイコンを含む。
【０１０４】
本発明の実施例は、さらに、第４種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のアプリケーション追加ジェスチャーにマッチングすると、現在ユーザインタフェースに表示されているレイヤーにアプリケーションのアイコンを追加する機能と、を含み、
ここで、異なるレイヤーは、完全に同じではないアプリケーションのアイコンを含む。
【０１０５】
本発明の実施例は、さらに、第５種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー編集ジェスチャーにマッチングすると、レイヤーの編集状態に遷移する機能と、
ユーザから前記編集状態で入力された編集指令を受信し、レイヤーに対する編集操作を実行する機能と、を含み、
ここで、異なるレイヤーは、完全に同じではないアプリケーションのアイコンを含む。
【０１０６】
本発明の実施例は、さらに、第６種のデバイスを提供し、前記デバイスは、
１つ或いは複数のプロセッサと、
メモリと、
前記メモリに記憶され、前記１つ或いは複数のプロセッサにより実行されるように配置される１つ或いは複数のモジュール（ｐｒｏｇｒａｍｓ）と、を含む。前記１つ或いは複数のモジュールは、
タッチディスプレイとのタッチを検出する機能と、
前記タッチにマッチングする所定のジェスチャーを特定する機能と、
前記タッチが所定のレイヤー切替ジェスチャーにマッチングすると、ユーザインタフェースに表示されるレイヤーを切り替える機能と、
前記タッチが所定のレイヤーロックジェスチャーにマッチングすると、現在ユーザインタフェースに表示されているレイヤーをロックする機能と、
前記タッチが所定のアプリケーション削除ジェスチャーにマッチングすると、現在ユーザインタフェースに表示されているレイヤーから前記タッチに対応するアプリケーションのアイコンを削除する機能と、
前記タッチが所定のアプリケーション追加ジェスチャーにマッチングすると、現在ユーザインタフェースに表示されているレイヤーにアプリケーションのアイコンを追加する機能と、
前記タッチが所定のレイヤー編集ジェスチャーにマッチングすると、レイヤーの編集状態に遷移する機能と、
ユーザから前記編集状態で入力された編集指令を受信し、レイヤーに対する編集操作を実行する機能と、を含み、
ここで、異なるレイヤーは、完全に同じではないアプリケーションのアイコンを含む。
【０１０７】
本実施例は、さらに、読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、の指令（ｉｎｓｔｒｕｃｔｉｏｎｓ）を実行させ、
ここで、異なるレイヤーは、完全に同じではないアプリケーションのアイコンを含む。
【０１０８】
本実施例は、さらに、第２種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤーロックジェスチャーにマッチングすると、現在ユーザインタフェースに表示されているレイヤーをロックするステップと、の指令（ｉｎｓｔｒｕｃｔｉｏｎｓ）を実行させ、
ここで、異なるレイヤーは、完全に同じではないアプリケーションのアイコンを含む。
【０１０９】
本実施例は、さらに、第３種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のアプリケーション削除ジェスチャーにマッチングすると、現在ユーザインタフェースに表示されているレイヤーから前記タッチに対応するアプリケーションのアイコンを削除するステップと、の指令（ｉｎｓｔｒｕｃｔｉｏｎｓ）を実行させ、
ここで、異なるレイヤーは、完全に同じではないアプリケーションのアイコンを含む。
【０１１０】
本実施例は、さらに、第４種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のアプリケーション追加ジェスチャーにマッチングすると、現在ユーザインタフェースに表示されているレイヤーにアプリケーションのアイコンを追加するステップと、の指令（ｉｎｓｔｒｕｃｔｉｏｎｓ）を実行させ、
ここで、異なるレイヤーは、完全に同じではないアプリケーションのアイコンを含む。
【０１１１】
本実施例は、さらに、第５種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、の指令（ｉｎｓｔｒｕｃｔｉｏｎｓ）を実行させ、
ここで、異なるレイヤーは、完全に同じではないアプリケーションのアイコンを含む。
【０１１２】
本実施例は、さらに、第６種の読み取り可能な不揮発性記憶媒体を提供し、当該記憶媒体に１つ或いは複数のモジュール（ｐｒｏｇｒａｍｓ）が記憶され、当該１つ或いは複数のモジュールは、タッチパネルを備えるデバイスに用いられる場合、当該デバイスに、
タッチディスプレイとのタッチを検出するステップと、
前記タッチにマッチングする所定のジェスチャーを特定するステップと、
前記タッチが所定のレイヤー切替ジェスチャーにマッチングすると、ユーザインタフェースに表示されるレイヤーを切り替えるステップと、
前記タッチが所定のレイヤーロックジェスチャーにマッチングすると、現在ユーザインタフェースに表示されているレイヤーをロックするステップと、
前記タッチが所定のアプリケーション削除ジェスチャーにマッチングすると、現在ユーザインタフェースに表示されているレイヤーから前記タッチに対応するアプリケーションのアイコンを削除するステップと、
前記タッチが所定のアプリケーション追加ジェスチャーにマッチングすると、現在ユーザインタフェースに表示されているレイヤーにアプリケーションのアイコンを追加するステップと、
前記タッチが所定のレイヤー編集ジェスチャーにマッチングすると、レイヤーの編集状態に遷移するステップと、
ユーザから前記編集状態で入力された編集指令を受信し、レイヤーに対する編集操作を実行するステップと、の指令（ｉｎｓｔｒｕｃｔｉｏｎｓ）を実行させ、
ここで、異なるレイヤーは、完全に同じではないアプリケーションのアイコンを含む。
以上、本発明の実施例に係るデバイス及び読み取り可能な不揮発性記憶媒体において、言及する機能或いはステップの具体的な実施形態は、上記の方法で詳細に説明され、ここで、省略する。
当業者は、上記実施例の全部或いは一部のステップがハードウェアによって実現されてもよく、プログラムで関連のハードウェアを命令しても実現されてもよいことを理解すべきであり、前記プログラムは、コンピュータで読み取り可能な記憶媒体に記憶されてもよく、上記記憶媒体はＲＯＭ（Ｒｅａｄ−Ｏｎｌｙ Ｍｅｍｏｒｙ）、磁気ディスク、又は光ディスクなどであってもよい。
以上は、単なる最適な実施例であり、本発明の実施例を限定せず、本発明の実施例の主旨及び原則内で行った如何なる修正、均等置換、改善等も本発明の実施例の保護範囲内に含まれる。
【国際調査報告】
2015523648.tif 000020
2015523648.tif 000021
2015523648.tif 000022
2015523648.tif 000023